(57)【要約】【課題】利便性または信頼性に優れた新規な表示パネルを提供する。または、利便性または信頼性に優れた新規な情報処理装置を提供する。または、利便性または信頼性に優れた新規なヒューマンインターフェイスを提供する。【解決手段】第１の領域、第１の屈曲できる領域および第２の屈曲できる領域が縞状に配置され、第１の屈曲できる領域に形成される畳み目で第１の領域の短辺の長さの長辺の長さに対する比の値が、表示領域の短辺の長辺の長さに対する比の値の０．９倍以上１．１倍以下になるように折り畳むことができる表示領域を含んで構成に想到した。【選択図】図１
2020076966.tif 000002
【特許請求の範囲】
【請求項１】
第１の領域、第１の屈曲できる領域、第２の領域、第２の屈曲できる領域および第３の領域がこの順で縞状に配置された表示領域を有する表示パネルであって、
前記第１の屈曲できる領域に形成される第１の畳み目および前記第２の屈曲できる領域に形成される第２の畳み目で折り畳まれた状態および展開された状態にすることができ、
前記表示パネルが折り畳まれた状態で、前記第１の領域に収まる大きさの第１の画像を表示し、前記第１の屈曲できる領域に文字情報を含む第３の画像を表示し、
前記表示パネルが展開された状態で、前記表示領域に収まる大きさの前記第１の画像におよそ相似する第２の画像を表示し、
前記第１の領域の短辺の長さの長辺の長さに対する比の値は、前記表示領域の短辺の長さの長辺の長さに対する比の値の０．９倍以上１．１倍以下であり、
前記第１の領域の短辺の長さ：長辺の長さはおよそ９：１６である、表示パネル。
【請求項２】
画像情報を供給され、検知情報を供給する入出力装置と、
前記画像情報を供給し、前記検知情報を供給される演算装置と、を有し、
前記入出力装置は、前記画像情報を供給される表示部と、前記検知情報を供給する検知部と、を有し、
前記表示部は、第１の領域、第１の屈曲できる領域、第２の領域、第２の屈曲できる領域および第３の領域がこの順で縞状に配置された表示領域を有し、
前記第１の屈曲できる領域に形成される第１の畳み目および前記第２の屈曲できる領域に形成される第２の畳み目で折り畳まれた状態および展開された状態にすることができ、
前記検知部は、前記表示部が折り畳まれた状態かまたは展開された状態かを検知し、且つ検知された状態を示す情報を含む検知情報を供給し、
前記演算装置は、
前記検知情報が折り畳まれた状態を示す場合に、前記第１の領域に収まる大きさの第１の画像を含む第１の画像情報を供給し、
前記検知情報が展開された状態を示す場合に、前記表示領域に収まる大きさの前記第１の画像におよそ相似する第２の画像を含む第２の画像情報を供給し、
前記第２の画像の縦の長さの横の長さに対する比の値は、前記第１の画像の縦の長さの横の長さに対する比の値の０．９倍以上１．１倍以下であり、
前記第１の画像情報または前記第２の画像情報が、前記第１の画像または前記第２の画像を表示する領域の外側に表示される第３の画像を含み、
前記第３の画像は、文字情報を含み、前記第１の屈曲できる領域に表示される、情報処理装置。
【発明の詳細な説明】
【技術分野】
【０００１】
本発明の一態様は、画像情報の処理および表示方法、プログラムおよびプログラムが記録
された記録媒体を有する装置に関する。特に、本発明の一態様は、表示部を備える情報処
理装置に処理された情報を含む画像を表示する画像情報の処理、表示方法および表示部を
備える情報処理装置に処理された情報を含む画像を表示させるプログラム並びに当該プロ
グラムが記録された記録媒体を有する情報処理装置に関する。
【０００２】
なお、本発明の一態様は、上記の技術分野に限定されない。本明細書等で開示する発明の
一態様の技術分野は、物、方法、または、製造方法に関するものである。または、本発明
の一態様は、プロセス、マシン、マニュファクチャ、または、組成物（コンポジション・
オブ・マター）に関するものである。そのため、より具体的に本明細書で開示する本発明
の一態様の技術分野としては、半導体装置、表示装置、発光装置、蓄電装置、記憶装置、
それらの駆動方法、または、それらの製造方法、を一例として挙げることができる。
【背景技術】
【０００３】
また、情報伝達手段に係る社会基盤が充実されている。これにより、多様で潤沢な情報を
職場や自宅だけでなく外出先でも情報処理装置を用いて取得、加工または発信できるよう
になっている。
【０００４】
このような背景において、携帯可能な情報処理装置が盛んに開発されている。
【０００５】
例えば、携帯可能な情報処理装置は持ち歩いて使用されることが多く、落下により思わぬ
力が情報処理装置およびそれに用いられる表示装置に加わることがある。破壊されにくい
表示装置の一例として、発光層を分離する構造体と第２の電極層との密着性が高められた
構成が知られている（特許文献１）。
【先行技術文献】
【特許文献】
【０００６】
【特許文献１】特開２０１２−１９０７９４号公報
【発明の概要】
【発明が解決しようとする課題】
【０００７】
本発明の一態様は、利便性または信頼性に優れた新規な表示パネルを提供することを課題
の一とする。または、利便性または信頼性に優れた新規な情報処理装置を提供することを
課題の一とする。利便性または信頼性に優れた新規なヒューマンインターフェイスを提供
することを課題の一とする。または、本発明の一態様は、新規な表示パネル、または、新
規な情報処理装置などを提供することを課題の一とする。
【０００８】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【０００９】
本発明の一態様は、第１の領域、第１の屈曲できる領域および第２の領域がこの順で縞状
に配置され、第１の屈曲できる領域に形成される畳み目で折り畳まれた状態および展開さ
れた状態にすることができる表示領域を有する表示パネルである。
【００１０】
そして、第１の領域の短辺の長さの長辺の長さに対する比の値は、表示領域の短辺の長さ
の長辺の長さに対する比の値の０．９倍以上１．１倍以下である。
【００１１】
また、本発明の一態様は、第１の領域の短辺の長さ：長辺の長さはおよそ９：１６である
、上記の表示パネルである。
【００１２】
また、本発明の一態様は、第１の領域、第１の屈曲できる領域、第２の領域、第２の屈曲
できる領域および第３の領域がこの順で縞状に配置され、第１の屈曲できる領域に形成さ
れる第１の畳み目および第２の屈曲できる領域に形成される第２の畳み目で折り畳まれた
状態および展開された状態にすることができる表示領域を有し、第１の領域の短辺の長さ
の長辺の長さに対する比の値は、表示領域の短辺の長さの長辺の長さに対する比の値の０
．９倍以上１．１倍以下であり、第１の領域の短辺の長さ：長辺の長さはおよそ９：１６
である表示パネルである。
【００１３】
上記本発明の一態様の表示パネルは、第１の領域、第１の屈曲できる領域および第２の屈
曲できる領域が縞状に配置され、第１の屈曲できる領域に形成される畳み目で第１の領域
の短辺の長さの長辺の長さに対する比の値が、表示領域の短辺の長辺の長さに対する比の
値の０．９倍以上１．１倍以下になるように折り畳むことができる表示領域を含んで構成
される。
【００１４】
これにより、折り畳まれた状態の表示パネルの第１の領域に表示する画像と、縦の長さの
横の長さに対する比の値がおよそ同じである画像を、展開された状態の表示領域に表示す
ることができる。その結果、利便性または信頼性に優れた新規な表示パネルを提供するこ
とができる。
【００１５】
また、本発明の一態様は、画像情報を供給され、検知情報を供給する入出力装置と、画像
情報を供給し、検知情報を供給される演算装置と、を有する情報処理装置である。
【００１６】
そして、入出力装置は、画像情報を供給される表示部および検知情報を供給する検知部、
を備える。
【００１７】
表示部は、第１の領域、第１の屈曲できる領域、第２の領域、第２の屈曲できる領域およ
び第３の領域がこの順で縞状に配置された表示領域を有し、第１の領域の短辺の長さの長
辺の長さに対する比の値は、表示領域の短辺の長さの長辺の長さに対する比の値の０．９
倍以上１．１倍以下であり、第１の領域の短辺の長さ：長辺の長さはおよそ９：１６であ
り第１の屈曲できる領域に形成される第１の畳み目および第２の屈曲できる領域に形成さ
れる第２の畳み目で折り畳まれた状態および展開された状態にすることができる。
【００１８】
検知部は、表示部が折り畳まれた状態かまたは展開された状態かを検知し、且つ検知され
た状態を示す情報を含む検知情報を供給する。
【００１９】
演算装置は、検知情報が折り畳まれた状態を示す場合に、第１の領域に収まる大きさの第
１の画像を含む画像情報を供給し、検知情報が展開された状態を示す場合に、表示部の表
示領域に収まる大きさの第１の画像とおよそ相似する第２の画像を含む画像情報を供給し
、第２の画像の面積は、第１の画像の面積の２．７倍以上３．３倍以下である。なお本明
細書において、第１の画像の一の点と他の点を結ぶ第１のベクトルの成分の比に対する、
第１の画像の一の点に対応する第２の画像の点と、第１の画像の他の点に対応する第２の
画像の点を結ぶ第２のベクトルの成分の比が、０．７５以上１．２５以下、好ましくは０
．９以上１．１以下である場合、第１の画像と第２の画像はおよそ相似するという。
【００２０】
本発明の一態様は、画像情報を供給され、検知情報を供給する入出力装置と、画像情報を
供給し、検知情報を供給される演算装置と、を有する情報処理装置である。
【００２１】
そして、入出力装置は、画像情報を供給される表示部、検知情報を供給する検知部、を備
える。
【００２２】
表示部は、第１の領域、第１の屈曲できる領域および第２の領域がこの順で縞状に配置さ
れた表示領域を有し、第１の屈曲できる領域に形成される第１の畳み目で折り畳まれた状
態および展開された状態にすることができ、検知部は、表示部が折り畳まれた状態かまた
は展開された状態かを検知し、且つ検知された状態を示す情報を含む検知情報を供給する
。
【００２３】
演算装置は、検知情報が折り畳まれた状態を示す場合に、第１の領域に収まる大きさの第
１の画像を含む画像情報を供給し、検知情報が展開された状態を示す場合に、表示領域に
収まる大きさの第１の画像におよそ相似する第２の画像を含む画像情報を供給し、第２の
画像の縦の長さの横の長さに対する比の値は、第１の画像の縦の長さの横の長さに対する
比の値の０．９倍以上１．１倍以下である。
【００２４】
上記本発明の一態様の情報処理装置は、画像情報が供給され且つ折り畳むことができる表
示部および表示部が折り畳まれた状態か展開された状態かを検知して、検知した状態を示
す情報を含む検知情報を供給する検知部を備える入出力装置と、画像情報を供給し検知情
報を供給される演算装置と、を含んで構成される。
【００２５】
これにより、縦の長さの横の長さに対する比の値が、折り畳まれた状態の表示部の第１の
領域に収まるように表示することができる第１の画像とおよそ同じである第２の画像を、
展開された状態の表示部の表示領域に収まるように表示することができる。その結果、利
便性または信頼性に優れた新規な情報処理装置を提供することができる。
【００２６】
また、本発明の一態様は、第２の画像が第１の画像より大きい上記の情報処理装置である
。
【００２７】
また、本発明の一態様は、第１の画像の縦または横のいずれか一方の長さが、第１の領域
の短辺の長さまたは長辺の長さの０．９倍以上または第２の画像の縦または横のいずれか
一方の長さが表示領域の短辺の長さまたは長辺の長さの０．９倍以上である、上記の情報
処理装置である。
【００２８】
これにより、縦の長さの横の長さに対する比の値がおよそ同じである画像を、折り畳まれ
た状態の表示部または展開された状態の表示部の大きさに基づいて、縮小または拡大して
表示することができる。その結果、利便性または信頼性に優れた新規な情報処理装置を提
供することができる。
【００２９】
また、本発明の一態様は、画像情報が第１の画像または第２の画像を表示する領域の外側
に表示される第３の画像を含む、上記の情報処理装置である。
【００３０】
これにより、第１の画像または第２の画像が表示される領域の外側に第３の画像を含む画
像情報を表示することができる。その結果、利便性または信頼性に優れた新規な情報処理
装置を提供することができる。
【００３１】
また、本発明の一態様は、検知部が表示部の姿勢を検知し且つ検知された姿勢を示す情報
を含む検知情報を供給し、演算装置が検知情報に基づいて第１の画像または第２の画像の
向きを決定し且つ決定された向きで配置された第１の画像または第２の画像を含む画像情
報を生成する、上記の情報処理装置である。
【００３２】
上記本発明の一態様の情報処理装置は、表示部の姿勢を検知し、検知された姿勢を示す情
報を含む検知情報を供給する検知部と、検知された姿勢に基づいて画像情報を生成する演
算装置とを含んで構成される。これにより、表示部の姿勢に基づいて決定された向きで表
示部に画像を表示することができる。その結果、利便性または信頼性に優れた新規な情報
処理装置を提供することができる。
【００３３】
また、本発明の一態様は、演算装置が演算部および演算部に実行させるプログラムを記憶
する記憶部を備える情報処理装置である。
【００３４】
プログラムは、ステータス情報を含む初期情報を取得する第１のステップと、割り込み処
理を許可する第２のステップと、所定の情報を取得する第３のステップと、ステータス情
報が第１のステータスである場合は第５のステップに進み、第２のステータスである場合
は第６のステップに進む第４のステップと、第３のステップで取得した情報に基づいて、
第１の画像を含む画像情報を第１の領域に収まるように生成し、画像情報を表示する第５
のステップと、第３のステップで取得した情報に基づいて、第２の画像を含む画像情報を
表示部の表示領域に収まるように生成し、画像情報を表示する第６のステップと、終了命
令を割り込み処理において供給された場合は第８のステップに進み、供給されなかった場
合は第３のステップに進む第７のステップと、終了する第８のステップと、を有する。
【００３５】
そして、割り込み処理は、表示部が折り畳まれた状態かまたは展開された状態かを示す情
報を含む検知情報を取得する第９のステップと、検知情報に基づいて候補情報を決定する
第１０のステップと、候補情報がステータス情報と異なる場合は第１２のステップに進み
、同じである場合は第９のステップに進む第１１のステップと、ステータス情報を候補情
報に更新する第１２のステップと、割り込み処理から復帰する第１３のステップと、を有
する。
【００３６】
上記本発明の一態様の情報処理装置は、表示部が折り畳まれた状態かまたは展開された状
態かを示す情報を含む検知情報を取得して候補情報を決定するステップと、ステータス情
報が候補情報と異なる場合は、ステータス情報を候補情報に更新するステップと、更新さ
れたステータス情報に基づいて所定の情報を含む画像情報を生成し表示するステップと、
を含んで構成される。これにより、所定の情報を含み且つステータス情報に基づいた大き
さの画像情報を視認することができる領域に表示することができる。その結果、利便性ま
たは信頼性に優れた新規な情報処理装置を提供できる。
【００３７】
なお、本明細書において、ＥＬ層とは発光素子の一対の電極間に設けられた層を示すもの
とする。従って、電極間に挟まれた発光物質である有機化合物を含む発光層はＥＬ層の一
態様である。
【００３８】
なお、本明細書中において、例えばＦＰＣ（Ｆｌｅｘｉｂｌｅ  ｐｒｉｎｔｅｄ  ｃｉｒ
ｃｕｉｔ）もしくはＴＣＰ（Ｔａｐｅ  Ｃａｒｒｉｅｒ  Ｐａｃｋａｇｅ）が取り付けら
れたモジュール、ＴＣＰの先にプリント配線板が設けられたモジュールまたは素子が形成
された基板にＩＣ（集積回路）がＣＯＧ（Ｃｈｉｐ  Ｏｎ  Ｇｌａｓｓ）方式により直接
実装されたモジュールは装置に含まれる。
【００３９】
また、本明細書中において、トランジスタの第１の電極または第２の電極の一方がソース
電極を、他方がドレイン電極を指す。
【発明の効果】
【００４０】
本発明の一態様によれば、利便性または信頼性に優れた新規な表示パネルを提供できる。
または、利便性または信頼性に優れた新規な情報処理装置を提供できる。または、利便性
または信頼性に優れた新規なヒューマンインターフェイスを提供できる。または、本発明
の一態様によれば、新規な表示パネル、新規な情報処理装置などを提供できる。なお、こ
れらの効果の記載は、他の効果の存在を妨げるものではない。なお、本発明の一態様は、
必ずしも、これらの効果の全てを有する必要はない。なお、これら以外の効果は、明細書
、図面、請求項などの記載から、自ずと明らかとなるものであり、明細書、図面、請求項
などの記載から、これら以外の効果を抽出することが可能である。
【図面の簡単な説明】
【００４１】
【図１】実施の形態に係る表示パネルの構成を説明する図。
【図２】実施の形態に係る表示パネルの構成を説明する図。
【図３】実施の形態に係る表示パネルに表示する画像を説明する図。
【図４】実施の形態に係る情報処理装置の構成を説明するブロック図。
【図５】実施の形態に係るプログラムを説明するフロー図。
【図６】実施の形態に係るプログラムを説明するフロー図。
【図７】実施の形態に係る情報処理装置の構成を説明する投影図。
【図８】実施の形態に係る情報処理装置の構成を説明する投影図。
【図９】実施の形態に係る情報処理装置に用いることができるタッチパネルの構成を説明する図。
【図１０】実施の形態に係る情報処理装置に用いることができるタッチパネルの構成を説明する図。
【図１１】実施の形態に係る情報処理装置に用いることができるタッチパネルの構成を説明する図。
【図１２】実施の形態に係る情報処理装置に用いることができるタッチパネルの構成を説明する図。
【図１３】実施の形態に係る情報処理装置を説明する６面図。
【図１４】実施の形態に係る情報処理装置を説明する６面図および断面図。
【発明を実施するための形態】
【００４２】
第１の領域、第１の屈曲できる領域および第２の屈曲できる領域が縞状に配置され、第１
の屈曲できる領域と形成される畳み目で第１の領域の短辺の長さの長辺の長さに対する比
の値が、表示領域の短辺の長辺の長さに対する比の値の０．９倍以上１．１倍以下になる
ように折り畳むことができる表示領域を含んで構成される。
【００４３】
これにより、折り畳まれた状態の表示パネルの第１の領域に表示する画像と、縦の長さの
横の長さに対する比の値がおよそ同じである画像を、展開された状態の表示領域に表示す
ることができる。その結果、利便性または信頼性に優れた新規な表示パネルを提供するこ
とができる。
【００４４】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００４５】
（実施の形態１）
本実施の形態では、本発明の一態様の表示パネルの構成について、図１乃至図３を参照し
ながら説明する。
【００４６】
図１は本発明の一態様の表示パネルの構成を説明する図である。図１（Ａ）は本発明の一
態様の表示パネル１３０Ｐを展開した状態を説明する図であり、図１（Ｂ）および図１（
Ｃ）は図１（Ａ）に示す表示パネル１３０Ｐを折り畳んだ状態を説明する投影図である。
【００４７】
図２は図１に示すものとは表示領域の配置が異なる本発明の一態様の表示パネルの構成を
説明する図である。図２（Ａ）は本発明の一態様の表示パネル１３０ＰＢを展開した状態
を説明する図であり、図２（Ｂ）は図２（Ａ）に示す表示パネル１３０ＰＢを折り畳んだ
状態を説明する投影図である。
【００４８】
図３は本発明の一態様の表示パネルに表示する画像を説明する図である。図３（Ａ）は表
示領域に表示する第２の画像を説明する模式図であり、図３（Ｂ）は第１の領域に表示す
る第１の画像を説明する模式図である。また、図３（Ｃ）は第２の領域と第３の領域に表
示する画像を説明する模式図である。
【００４９】
＜表示パネルの構成例＞
本実施の形態で説明する表示パネル１３０Ｐは、第１の領域１３１（１１）、第１の屈曲
できる領域１３１（２１）および第２の領域１３１（１２）がこの順で縞状に配置された
表示領域１３１を有する（図１（Ａ）参照）。
【００５０】
そして、第１の領域１３１（１１）の短辺の長さＡの長辺の長さＢに対する比の値（Ａ／
Ｂ）は、表示領域１３１の短辺Ｂの長さの長辺の長さＣに対する比の値（Ｂ／Ｃ）の０．
９倍以上１．１倍以下である。
【００５１】
また、表示領域１３１は、第１の屈曲できる領域１３１（２１）に形成される畳み目で折
り畳まれた状態および展開された状態にすることができる。
【００５２】
また、第１の領域１３１（１１）の短辺の長さＡ：長辺の長さＢはおよそ９：１６である
と好ましい。なお、短辺の長さＡの長辺の長さＢに対する比の値（Ａ／Ｂ）が０．５０以
上０．６２以下である場合、短辺の長さＡ：長辺の長さＢはおよそ９：１６であるといえ
る。
【００５３】
また、本実施の形態で説明する表示パネル１３０Ｐは、第１の領域１３１（１１）、第１
の屈曲できる領域１３１（２１）、第２の領域１３１（１２）、第２の屈曲できる領域１
３１（２２）および第３の領域１３１（１３）がこの順で縞状に配置され、第１の屈曲で
きる領域１３１（２１）に形成される第１の畳み目および第２の屈曲できる領域１３１（
２２）に形成される第２の畳み目で折り畳まれた状態および展開された状態にすることが
できる表示領域１３１を有する。
【００５４】
そして、第１の領域１３１（１１）の短辺の長さＡの長辺の長さＢに対する比の値（Ａ／
Ｂ）は、表示領域１３１の短辺の長さＢの長辺の長さＣに対する比の値（Ｂ／Ｃ）の０．
９倍以上１．１倍以下である。
【００５５】
また、第１の領域１３１（１１）の短辺の長さＡ：長辺の長さＢはおよそ９：１６である
と好ましい。
【００５６】
本実施の形態で説明する表示パネル１３０Ｐは、第１の領域１３１（１１）、第１の屈曲
できる領域１３１（２１）および第２の屈曲できる領域１３１（１２）が縞状に配置され
、第１の屈曲できる領域１３１（２１）で第１の領域１３１（１１）の短辺の長さＡの長
辺の長さＢに対する比の値（Ａ／Ｂ）が、表示領域１３１の短辺の長さＢの長辺の長さＣ
に対する比の値（Ｂ／Ｃ）の０．９倍以上１．１倍以下になるように折り畳むことができ
る表示領域１３１を含んで構成される（図３（Ａ）および図３（Ｂ））。
【００５７】
これにより、折り畳まれた状態の表示領域の第１の領域に表示する画像と、縦の長さの横
の長さに対する比の値がおよそ同じである画像を、展開された状態の表示領域に表示する
ことができる。その結果、利便性または信頼性に優れた新規な表示パネルを提供すること
ができる。
【００５８】
また、表示パネル１３０Ｐは、第１の走査線駆動回路１３３Ｇ（Ｌ）、第２の走査線駆動
回路１３３Ｇ（Ｒ）、第１の信号線駆動回路１３３Ｓ（Ｌ）および第２の信号線駆動回路
１３３Ｓ（Ｒ）を備えていてもよい。
【００５９】
また、表示パネル１３０Ｐは、フレキシブルプリント基板ＦＰＣ１３９と電気的に接続さ
れる。
【００６０】
以下に、表示パネル１３０Ｐを構成する個々の要素について説明する。なお、これらの構
成は明確に分離できず、一つの構成が他の構成を兼ねる場合や他の構成の一部を含む場合
がある。
【００６１】
例えばタッチセンサが表示パネルに重ねて設けられたタッチパネルは、表示部であるとと
もに、位置情報入力部でもある。
【００６２】
《全体の構成》
表示パネル１３０Ｐは、表示領域１３１を有する（図１参照）。
【００６３】
また、表示パネル１３０Ｐは、第１の走査線駆動回路１３３Ｇ（Ｌ）、第２の走査線駆動
回路１３３Ｇ（Ｒ）、第１の信号線駆動回路１３３Ｓ（Ｌ）および第２の信号線駆動回路
１３３Ｓ（Ｒ）を備えていてもよい。
【００６４】
《表示領域》
表示領域１３１は、画像情報を供給され、画像情報を表示する。また、表示領域１３１は
表示素子を備え、表示素子は画像情報に基づいて画像を表示する。
【００６５】
表示領域１３１は、第１の領域１３１（１１）、第１の屈曲できる領域１３１（２１）、
第２の領域１３１（１２）、第２の屈曲できる領域１３１（２２）および第３の領域１３
１（１３）を有する。
【００６６】
第１の領域１３１（１１）は、短辺と長辺を有し、第１の表示領域１３１（１１）の長辺
は、表示領域１３１の短辺とおよそ等しい。
【００６７】
第１の領域１３１（１１）の短辺の長さＡの長辺の長さＢに対する比の値（Ａ／Ｂ）は、
表示領域１３１の短辺Ｂの長さの長辺の長さＣに対する比の値（Ｂ／Ｃ）の０．９倍以上
１．１倍以下である。
【００６８】
第１の屈曲できる領域１３１（２１）および第２の屈曲できる領域１３１（２２）におい
て、表示領域１３１を屈曲することができる。第１の屈曲できる領域１３１（２１）およ
び第２の屈曲できる領域１３１（２２）は、可撓性を備える基板と、可撓性を有する基板
に保持される表示素子を有する。
【００６９】
例えば、金属または樹脂を、可撓性を有する基板に用いることができる。
【００７０】
具体的には、アルミニウムの他、鋼、ＳＵＳ、マグネシウム合金などの材料を、可撓性を
有する基板に用いることができる。
【００７１】
具体的には、ポリエステル、ポリオレフィン、ポリアミド（ナイロン、アラミド等）、ポ
リイミド、ポリカーボネートまたはアクリル、ウレタン、エポキシもしくはシロキサン結
合を有する樹脂などを含む材料を、可撓性を有する基板に用いることができる。
【００７２】
第１の屈曲できる領域１３１（２１）に第１の畳み目および第２の屈曲できる領域１３１
（２２）に第２の畳み目を形成して、表示領域１３１を折り畳むことができる（図１（Ｂ
）および図１（Ｃ）参照）。言い換えると、第１の屈曲できる領域１３１（２１）の表示
をすることができる面を山折りにして第１の畳み目を形成し、第２の屈曲できる領域１３
１（２２）の表示をすることができる面を谷折りにして第２の畳み目を形成して、折り畳
むことができる。
【００７３】
また、第１の屈曲できる領域１３１（２１）および第２の屈曲できる領域１３１（２２）
は、繰り返し折り畳むことおよび展開することができる。例えば、第１の屈曲できる領域
１３１（２１）または第２の屈曲できる領域１３１（２２）の表示をすることができる面
に形成される山折りの畳み目に、画像情報を表示することができる。
【００７４】
画像情報を第１の領域１３１（１１）に表示できる状態で折り畳まれた表示パネル１３０
Ｐを図１（Ｂ）に示し、画像情報を第３の領域１３１（１３）に表示できる状態で折り畳
まれた表示パネルの状態を図１（Ｃ）に示す。
【００７５】
なお、本発明の一態様の表示パネルは、表示領域が図１（Ａ）に示すように配置されるも
のに限られない。
【００７６】
例えば、表示パネル１３０ＰＢのようにフレキシブルプリント基板ＦＰＣ１３９が配置さ
れる側に、第１の領域１３１（１１）が配置されてもよい（図２（Ａ）参照）。
【００７７】
第１の領域１３１（１１）に表示された画像情報を視認できる状態で折り畳まれた表示パ
ネル１３０ＰＢを図２（Ｂ）に示す。
【００７８】
また、第１の領域１３１（１１）が、第２の領域１３１（１２）と第３の領域１３１（１
３）の間に配置されるものであってもよい。
【００７９】
また、第１の領域１３１（１１）の短辺の長さＡ：長辺の長さＢはおよそ９：１６である
と好ましい。短辺の長さＡ：長辺の長さＢをおよそ９：１６とすることで、表示領域１３
１を無駄なく利用することができ、ワイドな画像を大きく表示することができる。
【００８０】
第１の領域１３１（１１）の短辺の長さＡの長辺の長さＢに対する比の値（Ａ／Ｂ）が表
示領域１３１の短辺Ｂの長さの長辺の長さＣに対する比の値（Ｂ／Ｃ）の０．９倍以上１
．１倍以下である。
【００８１】
具体的には、第１の領域１３１（１１）の短辺の長さＡ：長辺の長さＢを９：１６になる
ように、第１の屈曲できる領域１３１（２１）を配置する。また、表示領域１３１の短辺
の長さＢ：長辺の長さＣを１６：２８．４（≒１６×１６÷９）にすることができる。
【００８２】
これにより、縦の長さに対する横の長さの比が９：１６の第１の画像を第１の領域１３１
（１１）に好適に表示することができる（図３（Ｂ）参照）。また、第１の画像におよそ
相似な第２の画像を表示領域１３１に好適に表示することができる（図３（Ａ）参照）。
なお、図３（Ｂ）に示す画像は図３（Ａ）に示す画像を縮小した画像ということができ、
図３（Ａ）に示す画像は図３（Ｂ）に示す画像を拡大した画像ということができる。
【００８３】
また、フルハイビジョン放送の規格に適合する画像を表示することができるように、表示
領域１３１の短辺方向に１０８０個、長辺方向に１９２０個の画素をマトリクス状に配置
してもよい。
【００８４】
表示領域１３１は、表示素子を備える。例えば、表示素子をマトリクス状に表示領域１３
１に配置してもよく、マトリクス状に配置した表示素子をパッシブマトリクス法またはア
クティブマトリクス法を用いて駆動してもよい。
【００８５】
有機エレクトロルミネッセンス素子、電気泳動方式や電子粉流体（登録商標）方式やエレ
クトロウェッティング方式などにより表示を行う表示素子（電子インクともいう）、シャ
ッター方式のＭＥＭＳ表示素子、光干渉方式のＭＥＭＳ表示素子、液晶素子など、様々な
表示素子を適用できる。
【００８６】
また、表示パネル１３０Ｐにタッチセンサを設けて、タッチパネルを構成することができ
る。具体的には、表示パネル１３０Ｐの表示がされる側にタッチセンサを重ねた構成であ
ってもよいし、タッチセンサが表示パネル１３０Ｐと一体の構造を有していてもよい。言
い換えると、オン・セル型のタッチパネルであってもイン・セル型のタッチパネルであっ
てもよい。
【００８７】
なお、表示パネル１３０Ｐに適用可能な詳細な構成例を、実施の形態５、実施の形態６お
よび実施の形態７に記載して説明する。
【００８８】
なお、本実施の形態は、本明細書で示す他の実施の形態と適宜組み合わせることができる
。
【００８９】
（実施の形態２）
本実施の形態では、本発明の一態様の情報処理装置の構成について、図１および図４を参
照しながら説明する。
【００９０】
図４は本発明の一態様の情報処理装置の構成を説明する図である。図４は本発明の一態様
の情報処理装置の構成を説明するブロック図である。
【００９１】
＜情報処理装置の構成例＞
本実施の形態で説明する情報処理装置１００は、画像情報Ｖを供給され、検知情報Ｓを供
給する入出力装置１２０と、画像情報Ｖを供給し、検知情報Ｓを供給される演算装置１１
０と、を有する（図４参照）。
【００９２】
そして、入出力装置１２０は、画像情報Ｖを供給される表示部１３０、検知情報Ｓを供給
する検知部１５０、を備える。
【００９３】
表示部１３０は、第１の領域１３１（１１）、第１の屈曲できる領域１３１（２１）およ
び第２の領域１３１（１２）がこの順で縞状に配置された表示領域を有する（図１参照）
。
【００９４】
表示部１３０は、第１の屈曲できる領域１３１（２１）に形成される第１の畳み目で折り
畳まれた状態および展開された状態にすることができる。
【００９５】
検知部１５０は、表示部１３０が折り畳まれた状態かまたは展開された状態かを検知し、
且つ検知された状態を示す情報を含む検知情報Ｓを供給する（図４参照）。
【００９６】
演算装置１１０は、検知情報Ｓが折り畳まれた状態を示す情報を含む場合に、第１の領域
１３１（１１）に収まる大きさの第１の画像を含む画像情報Ｖを供給し、検知情報Ｓが展
開された状態を示す情報を含む場合に、第１の画像におよそ相似し且つ表示部１３０の表
示領域１３１に収まる大きさの第２の画像を含む画像情報Ｖを供給する（図４参照）。
【００９７】
第２の画像の縦の長さの横の長さに対する比の値は、第１の画像の縦の長さの横の長さに
対する比の値の０．９倍以上１．１倍以下である。
【００９８】
本実施の形態で説明する情報処理装置１００は、画像情報Ｖが供給され且つ折り畳むこと
ができる表示部１３０および表示部１３０が折り畳まれた状態か展開された状態かを検知
して、検知した状態を示す情報を含む検知情報Ｓを供給する検知部１５０を備える入出力
装置１２０と、画像情報Ｖを供給し検知情報Ｓを供給される演算装置１１０と、を含んで
構成される。
【００９９】
これにより、縦の長さの横の長さに対する比の値が、折り畳まれた状態の表示部の第１の
領域に収まるように表示することができる第１の画像と、およそ同じである第２の画像を
、展開された状態の表示部の表示領域に収まるように表示することができる。その結果、
利便性または信頼性に優れた新規な情報処理装置を提供することができる。
【０１００】
また、入出力装置１２０は、位置情報Ｌを供給することができる位置情報入力部１４０と
、情報を供給し供給される入出力部１４５と、通信情報ＣＯＭを供給し供給される通信部
１６０と、を備えていてもよい。
【０１０１】
また、演算装置１１０は、演算部１１１と、演算部１１１に実行させるプログラムを記憶
する記憶部１１２と、情報を供給し供給される伝送路１１４と、情報を供給し供給される
入出力インターフェース１１５を有していてもよい。
【０１０２】
以下に、情報処理装置を構成する個々の要素について説明する。なお、これらの構成は明
確に分離できず、一つの構成が他の構成を兼ねる場合や他の構成の一部を含む場合がある
。
【０１０３】
例えばタッチセンサが表示パネルに重ねられたタッチパネルは、表示部１３０であるとと
もに、位置情報入力部１４０でもある。
【０１０４】
なお、本実施の形態では表示部１３０の表示面側に位置情報入力部１４０が重ねられた構
成を有するタッチセンサを例に説明するが、この構成に限られない。具体的には、位置情
報入力部１４０の検知面側に表示部１３０が重ねられた構成であってもよいし、表示部１
３０と位置情報入力部１４０が一体の構造を有していてもよい。言い換えると、オン・セ
ル型のタッチパネルであってもイン・セル型のタッチパネルであってもよい。
【０１０５】
《全体の構成》
情報処理装置１００は、入出力装置１２０と演算装置１１０を有する（図４参照）。
【０１０６】
《入出力装置１２０》
入出力装置１２０は、表示部１３０と、位置情報入力部１４０と、入出力部１４５と、検
知部１５０と、通信部１６０とを有する。
【０１０７】
《表示部１３０》
表示部１３０は、画像情報Ｖが供給され、画像情報Ｖを表示することができる（図４参照
）。
【０１０８】
表示部１３０は表示領域１３１を備え、画像情報Ｖを表示領域１３１に表示する。
【０１０９】
表示領域１３１は、第１の表示領域１３１（１１）、第１の屈曲できる領域１３１（２１
）、第２の表示領域１３１（１２）、第２の屈曲できる領域１３１（２２）および第３の
表示領域１３１（１３）を備える。
【０１１０】
第１の表示領域１３１（１１）の短辺の長さの長辺の長さに対する比の値は、表示領域の
短辺の長さの長辺の長さに対する比の値の０．９倍以上１．１倍以下である。
【０１１１】
第１の屈曲できる領域１３１（２１）および第２の屈曲できる領域１３１（２２）は、画
像情報Ｖを表示することができるだけでなく屈曲することができる。
【０１１２】
例えば、第１の屈曲できる領域１３１（２１）および第２の屈曲できる領域１３１（２２
）は、１０ｍｍ以下、好ましくは８ｍｍ以下、より好ましくは５ｍｍ以下、特に好ましく
は４ｍｍ以下の曲率半径で屈曲することができる。
【０１１３】
表示部１３０は、第１の屈曲できる領域１３１（２１）に第１の畳み目が形成されるよう
に折り畳むことができる。また、第１の畳み目を広げて表示部１３０を展開することがで
きる。
【０１１４】
表示部１３０は、第２の屈曲できる領域１３１（２２）に第２の畳み目が形成されるよう
に折り畳むことができる。また、第２の畳み目を広げて表示部１３０を展開することがで
きる。
【０１１５】
第１の領域１３１（１１）と第２の領域１３１（１２）を、一体で駆動してもよい。例え
ば、一の走査線駆動回路が走査線を選択する信号を供給する構成としてもよい。
【０１１６】
第１の領域１３１（１１）と第２の表示領域１３１（１２）を、別々に駆動してもよい。
例えば、走査線駆動回路をそれぞれの領域に設け、それぞれの走査線駆動回路がそれぞれ
の走査線を選択する信号を供給する構成としてもよい。
【０１１７】
例えば、情報処理装置１００の待機状態において、第１の領域（１１）または／および第
１の屈曲できる領域（２１）のみを駆動して、他の領域の駆動を停止してもよい。または
、情報処理装置１００の折り畳まれた状態において、第１の領域（１１）または／および
第１の屈曲できる領域（２１）のみを駆動して、他の視認できない領域の駆動を停止して
もよい。他の領域の駆動を停止することにより、消費電力を低減することができる。
【０１１８】
例えば、実施の形態１で説明する表示パネルを表示部１３０に適用することができる。
【０１１９】
また、表示部１３０に適用可能な構成例を、実施の形態５、実施の形態６および実施の形
態７に記載して説明する。
【０１２０】
《検知部１５０》
検知部１５０は、情報処理装置１００または／およびその周囲の状態を検知して検知情報
Ｓを供給することができる（図４参照）。
【０１２１】
検知部１５０は、表示部１３０が折り畳まれた状態かまたは展開された状態かを検知する
検知回路１５０（１）、検知回路１５０（２）および検知回路１５０（３）を備える。
【０１２２】
検知部１５０は、表示部１３０の折り畳まれた状態または展開された状態を示す情報を含
む検知情報Ｓを供給する。
【０１２３】
表示部１３０の折り畳まれた状態または展開された状態は、各種のセンサを用いて検知す
ることができる。
【０１２４】
例えば、メカニカルスイッチ、光学式スイッチ、磁気センサ、光電変換素子、ＭＥＭＳ圧
力センサまたは感圧センサ等を用いて表示部１３０の折り畳まれた状態を検知することが
できる。
【０１２５】
例えば、第２の領域１３１（１２）または第３の領域１３１（１３）の表示を遮るものを
検知して、表示部１３０の折り畳まれた状態を検知することができる。
【０１２６】
具体的には、第２の領域１３１（１２）が画像情報Ｖを表示する側から入射する光の強度
を検知するように光電変換素子を情報処理装置１００に配置し、当該光電変換素子を用い
て第３の領域１３１（１３）を検知して、表示部１３０が第２の屈曲できる領域１３１（
２２）で折り畳まれたか否かを検知することができる。
【０１２７】
なお、検知部１５０は、例えば加速度、角加速度、方位、圧力、ＧＰＳ（Ｇｌｏｂａｌ  
ｐｏｓｉｔｉｏｎｉｎｇ  Ｓｙｓｔｅｍ）信号、温度または湿度等を検知して、その情報
を供給してもよい。
【０１２８】
《位置情報入力部１４０》
位置情報入力部１４０は、近接するものを検知して近接するものの位置情報Ｌを供給する
。
【０１２９】
例えば、情報処理装置１００の使用者は、位置情報入力部１４０に近接させた指や掌等を
用いて、様々な操作命令を情報処理装置１００に供給することができる。
【０１３０】
例えば、終了命令（プログラムを終了する命令）を含む操作命令を供給することができる
。
【０１３１】
位置情報入力部１４０は、第１の位置情報入力部１４０（１１）、第２の位置情報入力部
１４０（１２）、第３の位置情報入力部１４０（１３）第４の位置情報入力部１４０（２
１）および第５の位置情報入力部１４０（２２）を備える。
【０１３２】
位置情報入力部１４０は、表示部１３０と重なるように配置してもよい。
【０１３３】
具体的には、第１の表示領域１３１（１１）に重ねて第１の位置情報入力部１４０（１１
）を、第２の表示領域１３１（１２）に重ねて第２の位置情報入力部１４０（１２）を、
第３の表示領域１３１（１３）に重ねて第３の位置情報入力部１４０（１３）を配置し、
第１の屈曲できる領域１３１（２１）に重ねて屈曲することができる第４の位置情報入力
部１４０（２１）を配置する。また、第２の屈曲できる領域１３１（２２）に重ねて屈曲
できる第５の位置情報入力部１４０（２２）を配置する。
【０１３４】
なお、表示部１３０より使用者側に位置情報入力部１４０を配置する場合は、透光性を有
する位置情報入力部１４０を配置する。
【０１３５】
第１の位置情報入力部１４０（１１）は他の位置情報入力部と一体で駆動してもよいし、
別々に駆動してもよい。
【０１３６】
例えば、第１の位置情報入力部１４０（１１）が消費する電力および第２の位置情報入力
部１４０（１２）が消費する電力の合計が、第１の位置情報入力部１４０（１１）が消費
する電力より大きい場合、情報処理装置１００の待機状態において、第１の位置情報入力
部１４０（１１）のみを駆動して、第２の位置情報入力部の駆動を停止してもよい。第２
の位置情報入力部１４０（１２）部の駆動を停止することにより、消費電力を低減するこ
とができる。
【０１３７】
例えば、近接センサを位置入力部１４０に用いることができる。近接センサは、近接また
は接触するもの（例えば指や掌）を検知できるセンサであればよく、例えば容量素子や撮
像素子を適用できる。なお、容量素子をマトリクス状に有する基板を容量式のタッチセン
サと、撮像素子を有する基板を光学式のタッチセンサということができる。
【０１３８】
なお、可撓性を有し、屈曲できる位置情報入力部１４０に適用可能な構成例を、実施の形
態５、実施の形態６および実施の形態７に記載して説明する。
【０１３９】
《通信部１６０》
通信部１６０は、演算装置１１０が供給する情報ＣＯＭを情報処理装置１００の外部の機
器または通信網に供給する。また、情報ＣＯＭを外部の機器または通信網から取得して供
給する。
【０１４０】
情報ＣＯＭは、音声情報、画像情報等の他、様々な命令等を含むことができる。例えば、
画像情報Ｖを演算部１１１に生成または消去等させる操作命令を含むことができる。
【０１４１】
外部の機器または通信網に接続するための通信手段、例えばハブ、ルータまたはモデム等
を通信部１６０に適用できる。なお、接続方法は有線による方法に限らず、無線（例えば
電波または赤外線等）をもちいてもよい。
【０１４２】
《入出力部１４５》
例えば、カメラ、マイク、読み取り専用の外部記憶部、外部記憶部、スキャナー、スピー
カまたはプリンタ等を入出力部１４５に用いることができる。
【０１４３】
具体的には、デジタルカメラおよびデジタルビデオカメラ等をカメラに用いることができ
る。
【０１４４】
ハードディスクまたはリムーバブルメモリなどを外部記憶部に用いることができる。また
、ＣＤＲＯＭ、ＤＶＤＲＯＭ等を読み取り専用の外部記憶部に用いることができる。
【０１４５】
《演算装置》
演算装置１１０は、演算部１１１および記憶部１１２を備える。演算装置１１０は画像情
報Ｖを供給し、検知情報Ｓを供給される（図４参照）。
【０１４６】
例えば、演算装置１１０は、情報処理装置１００の操作の用に供する画像を含む画像情報
Ｖを供給する。
【０１４７】
なお、画像情報Ｖは表示部１３０の表示領域１３１に表示される。
【０１４８】
また、演算装置１１０は、位置情報Ｌを供給される構成を有していてもよい。例えば、位
置情報入力部１４０の表示部１３０に表示された操作の用に供する画像と重なる位置を指
等で触れることにより、使用者は当該画像に関連付けられた操作命令を演算装置１１０に
供給できる。
【０１４９】
また、演算装置１１０は、伝送路１１４と、入出力インターフェース１１５を有していて
もよい。
【０１５０】
《演算部》
演算部１１１は、記憶部１１２が記憶するプログラムを実行する。例えば、操作の用に供
する画像を表示した位置の位置情報Ｌが供給された場合に、演算部１１１は当該画像にあ
らかじめ関連付けられたプログラムを実行する。
【０１５１】
《記憶部》
記憶部１１２は、演算部１１１に実行させるプログラムを記憶する。
【０１５２】
なお、演算装置１１０に実行させるプログラムの一例を、実施の形態３に記載して説明す
る。
【０１５３】
《入出力インターフェース・伝送路》
入出力インターフェース１１５は情報を供給し、情報が供給される。
【０１５４】
伝送路１１４は情報を供給することができ、演算部１１１、記憶部１１２および入出力イ
ンターフェース１１５は情報を供給される。また、演算部１１１、記憶部１１２および入
出力インターフェース１１５は、情報を供給することができ、伝送路１１４は情報を供給
される。
【０１５５】
《筐体》
情報処理装置１００に加わるさまざまな応力から演算装置１１０等を保護するために、情
報処理装置１００は、筐体を有していてもよい。
【０１５６】
金属、プラスチック、ガラスまたはセラミックス等を筐体に用いることができる。
【０１５７】
なお、本実施の形態は、本明細書で示す他の実施の形態と適宜組み合わせることができる
。
【０１５８】
（実施の形態３）
本実施の形態では、本発明の一態様の情報処理装置に適用可能なプログラムの構成につい
て、図５および図６を参照しながら説明する。
【０１５９】
図５は本発明の一態様の情報処理装置の演算装置が実行するプログラムを説明するフロー
図である。図６は図５を用いて説明するプログラムの割り込み処理を説明するフロー図で
ある。
【０１６０】
＜情報処理装置の構成例＞
本実施の形態で説明する情報処理装置１００は、演算部１１１および演算部１１１に実行
させるプログラムを記憶する記憶部１１２を備える。
【０１６１】
記憶部１１２が記憶するプログラムは、以下のステップを備える。
【０１６２】
《第１のステップ》
第１のステップにおいて、ステータス情報を含む初期情報を取得する（図５（Ｓ１））。
【０１６３】
例えば、記憶部１１２に記憶された所定のステータス情報および後のステップで使用され
る必要な情報を含む初期情報を取得する。また、初期情報は検知部１５０が供給する検知
情報Ｓを含んでもよい。
【０１６４】
具体的には、検知部１５０が供給する検知情報Ｓに、表示部１３０が折り畳まれた状態を
示す情報を含む場合は第１のステータスとし、展開された状態を示す情報を含む場合は、
第２のステータスとするステータス情報を取得する。
【０１６５】
《第２のステップ》
第２のステップにおいて、割り込み処理を許可する（図５（Ｓ２））。なお、割り込み処
理が許可された演算部１１１は、割り込み処理についての実行命令を受けつけることがで
きる。割り込み処理の実行命令を受けつけた演算部１１１は、主の処理を中断し、割り込
み処理を実行し、割り込み処理の実行結果を例えば記憶部に格納する。これにより、割り
込み処理から主の処理に復帰した演算部は、格納された割り込み処理の実行結果に基づい
て主の処理を再開することができる。
【０１６６】
《第３のステップ》
第３のステップにおいて、所定の情報を取得する（図５（Ｓ３））。
【０１６７】
所定の情報は、後のステップで生成する第１の画像または第２の画像の基礎になる情報を
含む。
【０１６８】
例えば、画像が占める面積を第１の領域１３１（１１）または表示領域の面積に合うよう
に最適化する前の画像を含む情報を取得する。
【０１６９】
なお、後に説明する第７のステップから第３のステップに進んだ場合、第３のステップに
おいて、割り込み処理で供給される操作命令または更新されたステータス情報が反映され
る。
【０１７０】
《第４のステップ》
第４のステップにおいて、ステータス情報が第１のステータスである場合は第５のステッ
プに進み、第２のステータスである場合は第６のステップに進む（図５（Ｓ４））。
【０１７１】
《第５のステップ》
第５のステップにおいて、第３のステップで取得した情報に基づいて、第１の画像を含む
画像情報Ｖを第１の領域１３１（１１）に収まるように生成し、画像情報Ｖを表示する（
図５（Ｓ５））。
【０１７２】
例えば、第３のステップで取得した画像情報Ｖに基づいて、第１の領域１３１（１１）に
収まるように画像が占める面積が調整された画像情報Ｖを生成する。
【０１７３】
例えば、第３のステップで数字または英文字を含む情報を取得し且つ表示部１３０が折り
畳まれた状態を検知した場合、第１の領域を横長にして好適に読めるように数字または英
文字が配列された第１の画像を含む画像情報Ｖを生成する。
【０１７４】
《第６のステップ》
第６のステップにおいて、第３のステップで取得した情報に基づいて、第２の画像を含む
画像情報Ｖを表示部の表示領域に収まるように生成し、画像情報Ｖを表示する（図５（Ｓ
６））。
【０１７５】
例えば、第３のステップで取得した画像情報Ｖに基づいて、表示部の表示領域に収まるよ
うに大きさが調整された画像情報Ｖを生成する。
【０１７６】
例えば、第３のステップで数字または英文字を含む情報を取得し且つ表示部１３０が展開
された状態を検知した場合、表示部１３０を横長にして好適に読めるように数字または英
文字が配置された第２の画像を含む画像情報Ｖを生成する。
【０１７７】
《第７のステップ》
第７のステップにおいて、終了命令を割り込み処理において供給された場合は第８のステ
ップに進み、供給されなかった場合は第３のステップに進む（図５（Ｓ７））。
【０１７８】
《第８のステップ》
第８のステップにおいて、終了する（図５（Ｓ８））。
【０１７９】
《割り込み処理》
また、割り込み処理は以下のステップを具備する。
【０１８０】
《第９のステップ》
第９のステップにおいて、検知情報Ｓを取得する（図６（Ｔ９））。
【０１８１】
例えば、タイマー等を用いて検知部１５０が供給する検知情報Ｓを取得する。具体的には
、表示部１３０が折り畳まれた状態か、展開された状態かを示す情報を含む検知情報Ｓを
取得する。
【０１８２】
《第１０のステップ》
第１０のステップにおいて検知情報Ｓに基づいて候補情報を決定する（図６（Ｔ１０））
。
【０１８３】
《第１１のステップ》
第１１のステップにおいて、候補情報がステータス情報と異なる場合は第１２のステップ
に進み、同じである場合は第９のステップに進む（図６（Ｔ１１））。
【０１８４】
《第１２のステップ》
第１２のステップにおいて、ステータス情報を候補情報に更新する図６（Ｔ１２）。
【０１８５】
例えば、検知情報Ｓに変化がある場合、ステータス情報が更新される。具体的には、表示
部１３０が折り畳まれた状態か展開された状態かを示す情報に変化がある場合、ステータ
ス情報を更新する。
【０１８６】
《第１３のステップ》
第１３のステップにおいて、割り込み処理から復帰する図６（Ｔ１３）。
【０１８７】
なお、割り込み処理において、更新されたステータス情報は、第７のステップから第３の
ステップに進んだ後に反映される。また、割り込み処理において、終了命令が供給された
場合は、第８のステップに進み終了する。
【０１８８】
本実施の形態で説明する情報処理装置は、表示部が折り畳まれた状態かまたは展開された
状態かを示す情報を含む検知情報Ｓを取得して候補情報を決定するステップと、ステータ
ス情報が候補情報と異なる場合は、ステータス情報を候補情報に更新するステップと、更
新されたステータス情報に基づいて所定の情報を含む画像情報Ｖを生成し表示するステッ
プと、を含んで構成される。これにより、所定の情報を含み且つステータス情報に基づい
た大きさの画像情報を設定された領域に表示することができる。その結果、利便性または
信頼性に優れた新規な情報処理装置を提供できる。
【０１８９】
＜情報処理装置の変形例１．＞
本実施の形態の変形例では、本発明の一態様の情報処理装置に適用可能なプログラムの変
形例について、図３および図５を参照しながら説明する。
【０１９０】
本実施の形態で説明する情報処理装置１００の変形例は、上記のプログラムの第６のステ
ップにおいて生成する画像情報Ｖに含まれる第２の画像が占める面積が、第５のステップ
において生成する画像情報Ｖに含まれる第１の画像が占める面積より大きい点が異なる。
ここでは異なるステップについて説明し、同様のステップを用いることができる部分は、
上記の説明を援用する。
【０１９１】
《第６のステップ》
第６のステップにおいて、第３のステップで取得した情報に基づいて、表示部の表示領域
に収まるように、第５のステップで生成する第１の画像より大きい第２の画像を含む画像
情報Ｖを生成し、画像情報Ｖを表示する（図５（Ｓ６））。
【０１９２】
例えば、表示領域１３１のおよそ１／３の大きさの第１の領域１３１（１１）に広がる第
１の画像より大きい第２の画像を含む画像情報Ｖを生成して、表示領域１３１の全体に表
示することができる（図３（Ａ）および図３（Ｂ）参照）。
【０１９３】
表示部の折り畳まれた状態から展開された状態への変化を示すステータス情報の変化に基
づいて、表示部に表示する画像が占める面積を拡大する。また、表示部の展開された状態
から折り畳まれた状態への変化を示すステータス情報の変化に基づいて、表示部に表示す
る画像が占める面積を縮小する。具体的にはおよそ３倍または１／３になるように表示す
る。
【０１９４】
または、第１の画像の縦または横のいずれか一方の長さが、第１の領域１３１（１１）の
短辺の長さＡまたは長辺の長さＢの０．９倍以上になるように第１の画像を生成し、第２
の画像の縦または横のいずれか一方の長さが、表示領域１３１の短辺の長さＢまたは長辺
の長さＣの０．９倍以上になるように第２の画像を生成する。
【０１９５】
これにより、縦の長さの横の長さに対する比の値がおよそ同じである画像、言い換えると
およそ相似である画像を、折り畳まれた状態の表示部の第１の領域または展開された状態
の表示部の大きさに基づいて、縮小または拡大して表示することができる。その結果、利
便性または信頼性に優れた新規な情報処理装置を提供することができる。
【０１９６】
＜情報処理装置の変形例２．＞
本実施の形態の変形例では、本発明の一態様の情報処理装置に適用可能なプログラムの変
形例について、図３および図５を参照しながら説明する。
【０１９７】
本実施の形態で説明する情報処理装置１００の変形例は、上記のプログラムの第５のステ
ップおよび第６のステップにおいて、第１の画像または第２の画像の外側に第３の画像を
含む画像情報Ｖを生成する点が異なる。ここでは異なるステップについて説明し、同様の
ステップを用いることができる部分は、上記の説明を援用する。
【０１９８】
《第５のステップ》
第５のステップにおいて、第３のステップで取得した情報に基づいて、第１の領域１３１
（１１）に収まるように第１の画像を含む画像情報Ｖを生成し、第１の画像を表示する領
域の外側に第３の画像を含む画像情報Ｖを表示する（図５（Ｓ５））。
【０１９９】
《第６のステップ》
第６のステップにおいて、第３のステップで取得した情報に基づいて、表示部の表示領域
に収まるように第２の画像を含む画像情報Ｖを生成し、第２の画像を表示する領域の外側
に第３の画像を含む画像情報Ｖを表示する（図５（Ｓ６））。
【０２００】
これにより、第１の画像または第２の画像が表示される領域の外側に第３の画像を含む画
像情報Ｖを表示することができる。その結果、利便性または信頼性に優れた新規な情報処
理装置を提供することができる。
【０２０１】
例えば、第１の画像または第２の画像の外側に配置された文字情報を含む第３の画像が配
置された画像情報Ｖを生成し、表示してもよい。具体的には、第１の屈曲できる領域１３
１（２１）に表示してもよい（図３（Ｂ）参照）。
【０２０２】
なお、第１の画像の外側または第２の画像の外側を、第１の画像の額縁または第２の画像
の額縁ということができる。
【０２０３】
流れるように移動する第３の画像を表示してもよい。また、表示する言語の規則に基づい
て、第３の画像に含まれる文字を移動する方向を変えてもよい。例えば英語は右から左に
移動してもよく、アラビア語は左から右に移動してもよい。移動する速さを使用者が好み
に応じて設定できるようにしてもよい。
【０２０４】
また、文字情報等を第１の画像または第２の画像にスーパーインポーズしてもよい。
【０２０５】
また、電話番号、温度、着信したメールの内容等を第３の画像に含めることができる。
【０２０６】
なお、上記のプログラムの第５のステップにおいて、例えば第１の屈曲できる領域１３１
（２１）で２つに折り畳まれた状態を検知した場合に、第１の画像を含む画像情報Ｖを第
１の領域１３１（１１）以外の領域に収まるように生成し、第１の領域以外の領域に画像
情報Ｖを表示してもよい（図３（Ｃ））。これにより、縦の長さＥに対する横の長さＤの
比がおよそ３：４である画像を好適に表示することができる。
【０２０７】
また、第１の画像を第１の領域以外の領域の上側または下側に配置して、第１の画像を第
１の領域以外の領域に収まるように画像情報Ｖを生成してもよい。
【０２０８】
また、ソフトウエアキーボード、文字、写真画像の他、テレビジョン放送された画像情報
等を第１の画像に含めることができる。
【０２０９】
＜情報処理装置の変形例３．＞
本実施の形態の変形例では、本発明の一態様の情報処理装置に適用可能なプログラムの変
形例について、図６を参照しながら説明する。
【０２１０】
本実施の形態の変形例で説明する情報処理装置１００は、検知部１５０が、表示部１３０
の姿勢を検知し、且つ検知された姿勢を示す情報を含む検知情報Ｓを供給する。
【０２１１】
そして、演算装置１１０が、検知情報Ｓに基づいて第１の画像または第２の画像の向きを
決定し且つ決定された向きで配置された第１の画像または第２の画像を含む画像情報Ｖを
生成する。
【０２１２】
情報処理装置１００は、表示部１３０の姿勢を検知し、検知された姿勢を示す情報を含む
検知情報Ｓを供給する検知部１５０と、検知された姿勢に基づいて画像情報Ｖを生成する
演算装置１１０とを含んで構成される。これにより、表示部の姿勢に基づいて決定された
向きで表示部に画像を表示することができる。その結果、利便性または信頼性に優れた新
規な情報処理装置を提供することができる。
【０２１３】
例えば、表示部１３０が折り畳まれた状態で第１の領域が縦長になる姿勢を検知した場合
、または表示部が展開された状態で表示部が縦長になる姿勢を検知した場合、第３の画像
に表示する文字を縦書きになるようにしてもよい。
【０２１４】
本実施の形態で説明する情報処理装置１００の変形例は、表示部１３０の姿勢を検知する
ことができる検知部１５０を有する点、上記のプログラムの第１のステップにおいて、表
示部１３０の折り畳まれた状態か展開された状態かを示す情報に表示部１３０の姿勢を示
す情報を組み合わせたステータス情報を取得し、第５のステップまたは第６のステップに
おいて、姿勢を示す情報が組み合わされたステータス情報に基づいて第１の画像または第
２の画像および表示する向きを決定し且つ決定された向きに配置された第１の画像または
第２の画像を含む画像情報Ｖを生成し、第９のステップにおいて、表示部１３０の折り畳
まれた状態か展開された状態かを示す情報だけでなく表示部１３０の姿勢を示す情報を含
む検知情報Ｓを取得し、第１２のステップにおいて、折り畳まれた状態か展開された状態
かを示す情報だけでなく表示部の姿勢を示す情報に変化がある場合、ステータス情報を更
新する点、が異なる。ここでは異なる検知部１５０の構成および異なるステップについて
説明し、同様の構成および同様のステップを用いることができる部分は、上記の説明を援
用する。
【０２１５】
《検知部１５０》
検知部１５０は、表示部１３０の姿勢を検知し、表示部１３０の姿勢を示す情報を含む検
知信号Ｓを供給する。例えば、加速度センサや角加速度センサを表示部１３０の姿勢を検
知するセンサに用いることができる。
【０２１６】
表示部１３０の姿勢を検知するセンサは、例えば筐体に配置する。
【０２１７】
《第１のステップの変形例》
第１のステップにおいて、ステータス情報を含む初期情報を取得する（図５（Ｓ１））。
【０２１８】
具体的には、表示部１３０が折り畳まれた状態を示す情報を検知部１５０が供給する検知
情報Ｓに含まれる場合は第１のステータスであるとし、展開された状態を示す情報が含ま
れる場合は第２のステータスであるとするステータス情報を取得する。さらに、表示部１
３０の姿勢が横長か縦長かについての情報をそれぞれのステータスに付与して、合計４種
類の拡張されたステータス情報を定義して用いる。
【０２１９】
《第５のステップの変形例》
第５のステップにおいて、第３のステップで取得した表示部の折り畳まれた状態および表
示部の姿勢を示す情報に基づいて、第１の領域１３１（１１）に収まるように第１の画像
を含む画像情報Ｖを生成し、画像情報Ｖを表示する（図５（Ｓ５））。
【０２２０】
例えば、第３のステップで取得した画像情報Ｖおよび表示部の姿勢を示す情報に基づいて
、横長または縦長の第１の領域１３１（１１）に収まるように画像の向きおよび大きさが
調整された画像情報Ｖを生成する。
【０２２１】
《第６のステップの変形例》
第６のステップにおいて、第３のステップで取得した表示部の展開された状態および表示
部の姿勢を示す情報に基づいて、表示部の表示領域に収まるように第２の画像を含む画像
情報Ｖを生成し、画像情報Ｖを表示する（図５（Ｓ６））。
【０２２２】
例えば、第３のステップで取得したステータス情報および表示部の姿勢を示す情報に基づ
いて、横長または縦長の表示部の表示領域に収まるように画像の向きおよび大きさが調整
された画像情報Ｖを生成する。
【０２２３】
《第９のステップの変形例》
第９のステップにおいて、表示部の姿勢を示す検知情報Ｓを取得する（図６（Ｔ９））。
【０２２４】
具体的には、表示部１３０が折り畳まれた状態か展開された状態かを示す情報および表示
部の姿勢を示す情報を含む検知情報Ｓを取得する。
【０２２５】
《第１２のステップの変形例》
第１２のステップにおいて、ステータス情報を候補情報に更新する図６（Ｔ１２）。
【０２２６】
具体的には、表示部１３０が折り畳まれた状態か展開された状態かを示す情報だけでなく
表示部の姿勢を示す情報に変化がある場合、ステータス情報を更新する。
【０２２７】
なお、本実施の形態は、本明細書で示す他の実施の形態と適宜組み合わせることができる
。
【０２２８】
（実施の形態４）
本実施の形態では、本発明の一態様の情報処理装置の構成について、図４、図７および図
８を参照しながら説明する。
【０２２９】
図４は本発明の一態様の情報処理装置の構成を説明するブロック図である。
【０２３０】
図７および図８は本発明の一態様の情報処理装置を説明する図である。
【０２３１】
図７（Ａ）は本発明の一態様の情報処理装置１００の表示部１３０が展開された状態を説
明する投影図であり、図７（Ｂ）は図７（Ａ）の切断線Ｘ１−Ｘ２における情報処理装置
１００の断面図である。図７（Ｃ）は表示部１３０が折り畳まれた状態を説明する投影図
である。
【０２３２】
図８（Ａ）は本発明の一態様の情報処理装置１００の表示部１３０が屈曲された状態を説
明する投影図であり、図８（Ｂ）は図８（Ａ）とは異なる形態に表示部１３０が屈曲され
た状態を説明する投影図である。
【０２３３】
＜情報処理装置の構成例＞
本実施の形態で説明する情報処理装置１００は、画像情報Ｖを供給され、検知情報Ｓを供
給する入出力装置１２０と、画像情報Ｖを供給し、検知情報Ｓを供給される演算装置１１
０と、を有する（図４参照）。
【０２３４】
そして、入出力装置１２０は、画像情報Ｖを供給される表示部１３０および検知情報Ｓを
供給する検知部１５０を備える。
【０２３５】
表示部１３０は、第１の領域１３１（１１）、第１の屈曲できる領域１３１（２１）、第
２の領域１３１（１２）、第２の屈曲できる領域１３１（２２）および第３の領域１３１
（１３）がこの順で縞状に配置された表示領域を有する（図４および図７（Ａ）参照）。
【０２３６】
第１の領域１３１（１１）の短辺の長さＡの長辺の長さＢに対する比の値（Ａ／Ｂ）は、
表示領域１３１の短辺Ｂの長さの長辺の長さＣに対する比の値（Ｂ／Ｃ）の０．９倍以上
１．１倍以下である。
【０２３７】
第１の領域１３１（１１）の短辺の長さＡ：長辺の長さＢはおよそ９：１６である。
【０２３８】
表示部１３０は、第１の屈曲できる領域１３１（２１）に形成される第１の畳み目および
第２の屈曲できる領域１３１（２２）に形成される第２の畳み目で折り畳まれた状態およ
び展開された状態にすることができる（図７（Ａ）および図７（Ｃ）参照）。
【０２３９】
検知部１５０は、表示部１３０が折り畳まれた状態かまたは展開された状態かを検知し、
且つ検知された状態を示す情報を含む検知情報Ｓを供給する（図４参照）。
【０２４０】
また、演算装置１１０は、検知情報Ｓが折り畳まれた状態を示す場合に、第１の領域１３
１（１１）に収まる大きさの第１の画像を含む画像情報Ｖを供給し、検知情報Ｓが展開さ
れた状態を示す場合に、表示部１３０の表示領域１３１に収まる大きさの第１の画像とお
よそ相似する第２の画像を含む画像情報Ｖを供給する（図４、図７（Ａ）乃至図７（Ｃ）
参照）。
【０２４１】
第２の画像の面積は、第１の画像の面積の２．７倍以上３．３倍以下である。
【０２４２】
本実施の形態で説明する情報処理装置１００は、画像情報Ｖが供給され且つ折り畳むこと
ができる表示部１３０および表示部１３０が折り畳まれた状態か展開された状態かを検知
して、検知した状態を示す情報を含む検知情報Ｓを供給する検知部１５０を備える入出力
装置１２０と、画像情報Ｖを供給し検知情報Ｓを供給される演算装置１１０と、を含んで
構成される。
【０２４３】
これにより、折り畳まれた状態の表示部の第１の領域に収まるように表示することができ
る第１の画像と、縦の長さの横の長さに対する比の値がおよそ同じである第２の画像を、
展開された状態の表示部の表示領域に収まるように表示することができる（図７（Ａ）参
照）。その結果、利便性または信頼性に優れた新規な情報処理装置を提供することができ
る。
【０２４４】
また、筐体１０１（１）、ヒンジ１０２（１）、筐体１０１（２）、ヒンジ１０２（２）
および筐体１０１（３）がこの順に配置され、表示部１３０を保持し且つ表示部１３０を
折り畳まれた状態または展開された状態にすることができる（図７（Ａ）乃至図７（Ｃ）
参照）。
【０２４５】
筐体１０１（１）は、第１の領域１３１（１１）と重なり、検知回路１５０（１）および
釦１４５（１）を備える。
【０２４６】
筐体１０１（２）は、第２の領域１３１（１２）と重なり、検知回路１５０（２）を備え
る。
【０２４７】
筐体１０１（３）は、第３の領域１３１（１３）と重なり、検知回路１５０（３）を備え
、演算装置１１０、アンテナ１１０Ａおよびバッテリー１１０Ｂを収納する。
【０２４８】
ヒンジ１０２（１）は、第１の屈曲できる領域１３１（２１）と重なり、筐体１０１（１
）を筐体１０１（２）に対して回動可能に接続する（図７（Ｂ）参照）。
【０２４９】
ヒンジ１０２（２）は、第２の屈曲できる領域１３１（２２）と重なり、筐体１０１（２
）を筐体１０１（３）に対して回動可能に接続する。
【０２５０】
アンテナ１１０Ａは、演算装置１１０と電気的に接続され、信号を供給または供給される
。
【０２５１】
また、アンテナ１１０Ａは、外部装置から無線で電力を供給され、電力をバッテリー１１
０Ｂに供給する。
【０２５２】
バッテリー１１０Ｂは、演算装置１１０と電気的に接続され、電力を供給または供給され
る。
【０２５３】
以下に、情報処理装置１００を構成する個々の要素について説明する。なお、これらの構
成は明確に分離できず、一つの構成が他の構成を兼ねる場合や他の構成の一部を含む場合
がある。
【０２５４】
例えばタッチセンサが表示パネルに重ねられたタッチパネルは、表示部１３０であるとと
もに、位置情報入力部１４０でもある。
【０２５５】
なお、本実施の形態では表示部１３０の表示面側に位置情報入力部１４０が重ねられた構
成を有するタッチセンサを例に説明するが、この構成に限られない。具体的には、位置情
報入力部１４０の検知面側に表示部１３０が重ねられた構成であってもよいし、表示部１
３０と位置情報入力部１４０が一体の構造を有していてもよい。言い換えると、オン・セ
ル型のタッチパネルであってもイン・セル型のタッチパネルであってもよい。
【０２５６】
《全体の構成》
情報処理装置１００は、入出力装置１２０と演算装置１１０を有する（図４参照）。
【０２５７】
また、本実施の形態で説明する情報処理装置１００は、実施の形態２で説明する情報処理
装置１００と、筐体１０１（１）、筐体１０１（２）、筐体１０１（３）、ヒンジ１０２
（１）、ヒンジ１０２（２）、アンテナ１１０Ａ、バッテリー１１０Ｂおよび釦１４５（
１）の構成が異なる。ここでは異なる構成について説明し、同様の構成を用いることがで
きる部分は、上記の説明を援用する。
【０２５８】
《表示部１３０》
本実施の形態で説明する表示部１３０は、実施の形態２で説明する表示部１３０の第１の
領域１３１（１１）の短辺の長さＡ：長辺Ｂの長さはおよそ９：１６である点が異なる。
これにより、ワイドな画像を表示することができる（図７（Ｃ）参照）。
【０２５９】
また、フルハイビジョン放送の規格に適合する画像を表示することができるように、表示
領域１３１の短辺方向に１０８０個、長辺方向に１９２０個の画素をマトリクス状に配置
してもよい。
【０２６０】
《演算装置》
本実施の形態の演算装置１１０は、実施の形態３で説明するプログラムの第６のステップ
において、第３のステップで取得した情報に基づいて、表示部の表示領域に収まるように
、第１の画像の面積の２．７倍以上３．３倍以下である面積の第２の画像を含む画像情報
Ｖを生成し、画像情報Ｖを表示する（図５（Ｓ６））。
【０２６１】
例えば、表示部１３０の折り畳まれた状態または展開された状態を含む検知情報Ｓに基づ
いて、拡大または縮小された画像を含む画像情報Ｖを生成し、表示部１３０に表示する。
【０２６２】
具体的には、表示部１３０が折り畳まれた状態において、表示領域１３１のおよそ１／３
の大きさの第１の領域１３１（１１）に広がるように第１の画像を含む画像情報Ｖを生成
し、表示する（図７（Ｃ）参照）。また、表示部１３０が展開された状態で、第１の画像
の面積の２．７倍以上３．３倍以下である面積の第２の画像を含む画像情報Ｖを生成し、
表示する（図７（Ａ）参照）。
【０２６３】
これにより、表示部１３０が折り畳まれた状態において、第１の領域１３１（１１）に広
がるように画像情報Ｖを表示することができ、表示部１３０が展開された状態において、
表示領域１３１の全体に広がるように画像情報Ｖを表示することができる。
【０２６４】
《その他の構成》
情報処理装置１００は、筐体１０１（１）、筐体１０１（２）および筐体１０１（３）を
備える。例えば、樹脂、金属またはガラス等を筐体に適用できる（図７（Ｂ））。
【０２６５】
情報処理装置１００は、ヒンジ１０２（１）およびヒンジ１０２（２）を備える。例えば
、樹脂または金属等をヒンジに適用できる。
【０２６６】
情報処理装置１００は、筐体１０１（２）の一辺は、ヒンジ１０２（１）を介して筐体１
０１（１）と接続され、筐体１０１（２）の対向する他の一辺は、ヒンジ１０２（２）を
介して筐体１０１（３）と接続される。これにより、情報処理装置１００の形態を様々に
変えることができる。
【０２６７】
例えば、タッチセンサを第３の表示領域１３１（１３）に重ねて配置し、第３の表示領域
１３１（１３）をおよそ水平に配置し、筐体１０１（１）を用いて第２の領域１３１（１
２）を斜めになるように配置してもよい。これにより、タッチセンサをソフトウエアキー
ボードとして使用するためのキーボードの画像を第３の表示領域１３１（１３）に表示し
て、入力結果等を第２の領域１３１（１２）に表示することができる（図８（Ａ）参照）
。
【０２６８】
例えば、筐体１０１（３）のヒンジ１０２（２）が接続されていない辺が、筐体１０１（
１）のヒンジ１０２（１）が接続されていない辺に接するように、配置してもよい（図８
（Ｂ）参照）。
【０２６９】
情報処理装置１００は、アンテナ１１０Ａを備える。アンテナ１１０Ａは、例えば変調さ
れた高周波を受信または発信することができる。
【０２７０】
アンテナ１１０Ａを通信部１６０に電気的に接続して、通信部１６０が供給する情報を外
部の装置に供給してもよい。また、アンテナ１１０Ａは、外部の装置が供給する情報を通
信部１６０に供給してもよい。
【０２７１】
アンテナ１１０Ａは外部の無線給電装置が供給する電力をバッテリー１１０Ｂに供給して
もよい。
【０２７２】
情報処理装置１００は、バッテリー１１０Ｂを備える。例えば、リチウムイオン電池等を
バッテリー１１０Ｂに適用できる。
【０２７３】
情報処理装置１００は、釦１４５（１）を備える。例えば、情報処理装置１００の使用者
は情報処理装置１００の電源のオンオフ等の操作命令を、釦１４５（１）を押下して供給
することができる。
【０２７４】
なお、本実施の形態は、本明細書で示す他の実施の形態と適宜組み合わせることができる
。
【０２７５】
（実施の形態５）
本実施の形態では、本発明の一態様の情報処理装置の表示部および操作部に適用すること
ができる折り曲げ可能なタッチパネルの構成について、図９を参照しながら説明する。
【０２７６】
図９（Ａ）は本発明の一態様の情報処理装置１００に適用可能なタッチパネルの構造を説
明する上面図である。
【０２７７】
図９（Ｂ）は図９（Ａ）の切断線Ａ−Ｂおよび切断線Ｃ−Ｄにおける断面図である。
【０２７８】
図９（Ｃ）は図９（Ａ）の切断線Ｅ−Ｆにおける断面図である。
【０２７９】
＜上面図の説明＞
本実施の形態で例示するタッチパネル３００は表示部３０１を有する（図９（Ａ）参照）
。
【０２８０】
表示部３０１は、複数の画素３０２と複数の撮像画素３０８を備える。撮像画素３０８は
表示部３０１に触れる指等を検知することができる。これにより、撮像画素３０８を用い
てタッチセンサを構成することができる。
【０２８１】
画素３０２は、複数の副画素（例えば副画素３０２Ｒ）を備え、副画素は発光素子および
発光素子を駆動する電力を供給することができる画素回路を備える。
【０２８２】
画素回路は、選択信号を供給することができる配線および画像信号を供給することができ
る配線と、電気的に接続される。
【０２８３】
また、タッチパネル３００は選択信号を画素３０２に供給することができる走査線駆動回
路３０３ｇ（１）と、画像信号を画素３０２に供給することができる画像信号線駆動回路
３０３ｓ（１）を備える。
【０２８４】
撮像画素３０８は、光電変換素子および光電変換素子を駆動する撮像画素回路を備える。
【０２８５】
撮像画素回路は、制御信号を供給することができる配線および電源電位を供給することが
できる配線と電気的に接続される。
【０２８６】
制御信号としては、例えば記録された撮像信号を読み出す撮像画素回路を選択することが
できる信号、撮像画素回路を初期化することができる信号、および撮像画素回路が光を検
知する時間を決定することができる信号などを挙げることができる。
【０２８７】
タッチパネル３００は制御信号を撮像画素３０８に供給することができる撮像画素駆動回
路３０３ｇ（２）と、撮像信号を読み出す撮像信号線駆動回路３０３ｓ（２）を備える。
【０２８８】
＜断面図の説明＞
タッチパネル３００は、基板３１０および基板３１０に対向する対向基板３７０を有する
（図９（Ｂ）参照）。
【０２８９】
基板３１０および対向基板３７０に可撓性を有する材料を適用することにより、可撓性を
タッチパネル３００に付与することができる。
【０２９０】
なお、可撓性を有するタッチパネル３００を変形すると、タッチパネル３００に設けられ
た機能素子は応力を受ける。機能素子を基板３１０と対向基板３７０のおよそ中央に配置
すると機能素子の変形を抑制することができ好ましい。
【０２９１】
また、線膨張率がおよそ等しい材料を基板３１０および対向基板３７０に用いると好まし
い。例えば、材料の線膨張率が１×１０−３／Ｋ以下、好ましくは５×１０−５／Ｋ以下
、より好ましくは１×１０−５／Ｋ以下であるとよい。
【０２９２】
例えば、ポリエステル、ポリオレフィン、ポリアミド（ナイロン、アラミド等）、ポリイ
ミド、ポリカーボネートまたはアクリル、ウレタン、エポキシもしくはシロキサン結合を
有する樹脂含む材料を基板３１０および対向基板３７０に用いることができる。
【０２９３】
基板３１０は、可撓性を有する基板３１０ｂ、不純物の発光素子への拡散を防ぐバリア膜
３１０ａおよび基板３１０ｂとバリア膜３１０ａを貼り合わせる樹脂層３１０ｃが積層さ
れた積層体である。
【０２９４】
対向基板３７０は、可撓性を有する基材３７０ｂ、不純物の発光素子への拡散を防ぐバリ
ア膜３７０ａおよび基材３７０ｂとバリア膜３７０ａを貼り合わせる樹脂層３７０ｃの積
層体である（図９（Ｂ）参照）。
【０２９５】
封止材３６０は対向基板３７０と基板３１０を貼り合わせている。また、封止材３６０は
空気より大きい屈折率を備え、光学的に接合する機能を有する層を兼ねる。画素回路およ
び発光素子（例えば第１の発光素子３５０Ｒ）は基板３１０と対向基板３７０の間にある
。
【０２９６】
《画素の構成》
画素３０２は、副画素３０２Ｒ、副画素３０２Ｇおよび副画素３０２Ｂを有する（図９（
Ｃ）参照）。また、副画素３０２Ｒは発光モジュール３８０Ｒを備え、副画素３０２Ｇは
発光モジュール３８０Ｇを備え、副画素３０２Ｂは発光モジュール３８０Ｂを備える。
【０２９７】
例えば副画素３０２Ｒは、第１の発光素子３５０Ｒおよび第１の発光素子３５０Ｒに電力
を供給することができるトランジスタ３０２ｔを含む画素回路を備える（図９（Ｂ）参照
）。また、発光モジュール３８０Ｒは第１の発光素子３５０Ｒおよび光学素子（例えば着
色層３６７Ｒ）を備える。
【０２９８】
発光素子３５０Ｒは、第１の下部電極３５１Ｒ、上部電極３５２、下部電極３５１Ｒと上
部電極３５２の間に発光性の有機化合物を含む層３５３を有する（図９（Ｃ）参照）。
【０２９９】
発光性の有機化合物を含む層３５３は、発光ユニット３５３ａ、発光ユニット３５３ｂお
よび発光ユニット３５３ａと発光ユニット３５３ｂの間に中間層３５４を備える。
【０３００】
発光モジュール３８０Ｒは、第１の着色層３６７Ｒを対向基板３７０に有する。着色層は
特定の波長を有する光を透過するものであればよく、例えば赤色、緑色または青色等を呈
する光を選択的に透過するものを用いることができる。または、発光素子の発する光をそ
のまま透過する領域を設けてもよい。
【０３０１】
例えば、発光モジュール３８０Ｒは、第１の発光素子３５０Ｒと第１の着色層３６７Ｒに
接する封止材３６０を有する。
【０３０２】
第１の着色層３６７Ｒは第１の発光素子３５０Ｒと重なる位置にある。これにより、発光
素子３５０Ｒが発する光の一部は、光学的に接合する機能を有する層を兼ねる封止材３６
０および第１の着色層３６７Ｒを透過して、図中の矢印に示すように発光モジュール３８
０Ｒの外部に射出される。
【０３０３】
《表示パネルの構成》
タッチパネル３００は、遮光層３６７ＢＭを対向基板３７０に有する。遮光層３６７ＢＭ
は、着色層（例えば第１の着色層３６７Ｒ）を囲むように設けられている。
【０３０４】
タッチパネル３００は、反射防止層３６７ｐを表示部３０１に重なる位置に備える。反射
防止層３６７ｐとして、例えば円偏光板を用いることができる。
【０３０５】
タッチパネル３００は、絶縁膜３２１を備える。絶縁膜３２１はトランジスタ３０２ｔを
覆っている。なお、絶縁膜３２１は画素回路に起因する凹凸を平坦化するための層として
用いることができる。また、不純物のトランジスタ３０２ｔ等への拡散を抑制することが
できる層が積層された絶縁膜を、絶縁膜３２１に適用することができる。
【０３０６】
タッチパネル３００は、発光素子（例えば第１の発光素子３５０Ｒ）を絶縁膜３２１上に
有する。
【０３０７】
タッチパネル３００は、第１の下部電極３５１Ｒの端部に重なる隔壁３２８を絶縁膜３２
１上に有する（図９（Ｃ）参照）。また、基板３１０と対向基板３７０の間隔を制御する
スペーサ３２９を、隔壁３２８上に有する。
【０３０８】
《画像信号線駆動回路の構成》
画像信号線駆動回路３０３ｓ（１）は、トランジスタ３０３ｔおよび容量３０３ｃを含む
。なお、駆動回路は画素回路と同一の工程で同一基板上に形成することができる。
【０３０９】
《撮像画素の構成》
撮像画素３０８は、光電変換素子３０８ｐおよび光電変換素子３０８ｐに照射された光を
検知するための撮像画素回路を備える。また、撮像画素回路は、トランジスタ３０８ｔを
含む。
【０３１０】
例えばｐｉｎ型のフォトダイオードを光電変換素子３０８ｐに用いることができる。
【０３１１】
《他の構成》
タッチパネル３００は、信号を供給することができる配線３１１を備え、端子３１９が配
線３１１に設けられている。なお、画像信号および同期信号等の信号を供給することがで
きるＦＰＣ３０９（１）が端子３１９に電気的に接続されている。
【０３１２】
なお、ＦＰＣ３０９（１）にはプリント配線基板（ＰＷＢ）が取り付けられていても良い
。
【０３１３】
同一の工程で形成されたトランジスタを、トランジスタ３０２ｔ、トランジスタ３０３ｔ
、トランジスタ３０８ｔ等のトランジスタに適用できる。
【０３１４】
ボトムゲート型、トップゲート型等の構造を有するトランジスタを適用できる。
【０３１５】
様々な半導体をトランジスタに適用できる。例えば、酸化物半導体、単結晶シリコン、ポ
リシリコンまたはアモルファスシリコンなどを適用できる。
【０３１６】
なお、本実施の形態は、本明細書で示す他の実施の形態と適宜組み合わせることができる
。
【０３１７】
（実施の形態６）
本実施の形態では、本発明の一態様の情報処理装置に適用することができる折り曲げ可能
なタッチパネルの構成について、図１０及び図１１を参照しながら説明する。
【０３１８】
図１０（Ａ）は、本実施の形態で例示するタッチパネル５００の斜視図である。なお明瞭
化のため、代表的な構成要素を図１０に示す。図１０（Ｂ）は、タッチパネル５００の斜
視図である。
【０３１９】
図１１は、図１０（Ａ）に示すタッチパネル５００のＸ１−Ｘ２における断面図である。
【０３２０】
タッチパネル５００は、表示部５０１とタッチセンサ５９５を備える（図１０（Ｂ）参照
）。また、タッチパネル５００は、基板５１０、基板５７０および基板５９０を有する。
なお、基板５１０、基板５７０および基板５９０はいずれも可撓性を有する。
【０３２１】
表示部５０１は、基板５１０、基板５１０上に複数の画素および当該画素に信号を供給す
ることができる複数の配線５１１を備える。複数の配線５１１は、基板５１０の外周部に
まで引き回され、その一部が端子５１９を構成している。端子５１９はＦＰＣ５０９（１
）と電気的に接続する。
【０３２２】
＜タッチセンサ＞
基板５９０には、タッチセンサ５９５と、タッチセンサ５９５と電気的に接続する複数の
配線５９８を備える。複数の配線５９８は基板５９０の外周部に引き回され、その一部は
端子を構成する。そして、当該端子はＦＰＣ５０９（２）と電気的に接続される。なお、
図１０（Ｂ）では明瞭化のため、基板５９０の裏面側に設けられるタッチセンサ５９５の
電極や配線等を実線で示している。
【０３２３】
タッチセンサ５９５として、例えば静電容量方式のタッチセンサを適用できる。静電容量
方式としては、表面型静電容量方式、投影型静電容量方式等がある。
【０３２４】
投影型静電容量方式としては、主に駆動方式の違いから自己容量方式、相互容量方式など
がある。相互容量方式を用いると同時多点検出が可能となるため好ましい。
【０３２５】
以下では、投影型静電容量方式のタッチセンサを適用する場合について、図１０（Ｂ）を
用いて説明する。
【０３２６】
なお、指等の検知対象の近接または接触を検知することができるさまざまなセンサを適用
することができる。
【０３２７】
投影型静電容量方式のタッチセンサ５９５は、電極５９１と電極５９２を有する。電極５
９１は複数の配線５９８のいずれかと電気的に接続し、電極５９２は複数の配線５９８の
他のいずれかと電気的に接続する。
【０３２８】
電極５９２は、図１０（Ａ）、（Ｂ）に示すように、一方向に繰り返し配置された複数の
四辺形が角部で接続された形状を有する。
【０３２９】
電極５９１は四辺形であり、電極５９２が延在する方向と交差する方向に繰り返し配置さ
れている。
【０３３０】
配線５９４は、電極５９２を挟む二つの電極５９１を電気的に接続する。このとき、電極
５９２と配線５９４の交差部の面積ができるだけ小さくなる形状が好ましい。これにより
、電極が設けられていない領域の面積を低減でき、透過率のムラを低減できる。その結果
、タッチセンサ５９５を透過する光の輝度ムラを低減することができる。
【０３３１】
なお、電極５９１、電極５９２の形状はこれに限られず、様々な形状を取りうる。例えば
、複数の電極５９１をできるだけ隙間が生じないように配置し、絶縁層を介して電極５９
２を、電極５９１と重ならない領域ができるように離間して複数設ける構成としてもよい
。このとき、隣接する２つの電極５９２の間に、これらとは電気的に絶縁されたダミー電
極を設けると、透過率の異なる領域の面積を低減できるため好ましい。
【０３３２】
タッチセンサ５９５の構成を、図１１を用いて説明する。
【０３３３】
タッチセンサ５９５は、基板５９０、基板５９０上に千鳥状に配置された電極５９１及び
電極５９２、電極５９１及び電極５９２を覆う絶縁層５９３並びに隣り合う電極５９１を
電気的に接続する配線５９４を備える。
【０３３４】
樹脂層５９７は、タッチセンサ５９５が表示部５０１に重なるように、基板５９０を基板
５７０に貼り合わせている。
【０３３５】
電極５９１及び電極５９２は、透光性を有する導電材料を用いて形成する。透光性を有す
る導電性材料としては、酸化インジウム、インジウム錫酸化物、インジウム亜鉛酸化物、
酸化亜鉛、ガリウムを添加した酸化亜鉛などの導電性酸化物を用いることができる。なお
、グラフェンを含む膜を用いることもできる。グラフェンを含む膜は、例えば膜状に形成
された酸化グラフェンを含む膜を還元して形成することができる。還元する方法としては
、熱を加える方法等を挙げることができる。
【０３３６】
透光性を有する導電性材料を基板５９０上にスパッタリング法により成膜した後、フォト
リソグラフィ法等の様々なパターニング技術により、不要な部分を除去して、電極５９１
及び電極５９２を形成することができる。
【０３３７】
また、絶縁層５９３に用いる材料としては、例えば、アクリル、エポキシなどの樹脂、シ
ロキサン結合を有する樹脂の他、酸化シリコン、酸化窒化シリコン、酸化アルミニウムな
どの無機絶縁材料を用いることもできる。
【０３３８】
また、電極５９１に達する開口が絶縁層５９３に設けられ、配線５９４が隣接する電極５
９１を電気的に接続する。透光性の導電性材料は、タッチパネルの開口率を高まることが
できるため、配線５９４に好適に用いることができる。また、電極５９１及び電極５９２
より導電性の高い材料は、電気抵抗を低減できるため配線５９４に好適に用いることがで
きる。
【０３３９】
一の電極５９２は一方向に延在し、複数の電極５９２がストライプ状に設けられている。
【０３４０】
配線５９４は電極５９２と交差して設けられている。
【０３４１】
一対の電極５９１が一の電極５９２を挟んで設けられ、配線５９４は一対の電極５９１を
電気的に接続している。
【０３４２】
なお、複数の電極５９１は、一の電極５９２と必ずしも直交する方向に配置される必要は
なく、９０度未満の角度をなすように配置されてもよい。
【０３４３】
一の配線５９８は、電極５９１又は電極５９２と電気的に接続される。配線５９８の一部
は、端子として機能する。配線５９８としては、例えば、アルミニウム、金、白金、銀、
ニッケル、チタン、タングステン、クロム、モリブデン、鉄、コバルト、銅、又はパラジ
ウム等の金属材料や、該金属材料を含む合金材料を用いることができる。
【０３４４】
なお、絶縁層５９３及び配線５９４を覆う絶縁層を設けて、タッチセンサ５９５を保護す
ることができる。
【０３４５】
また、接続層５９９は、配線５９８とＦＰＣ５０９（２）を電気的に接続する。
【０３４６】
接続層５９９としては、様々な異方性導電フィルム（ＡＣＦ：Ａｎｉｓｏｔｒｏｐｉｃ  
Ｃｏｎｄｕｃｔｉｖｅ  Ｆｉｌｍ）や、異方性導電ペースト（ＡＣＰ：Ａｎｉｓｏｔｒｏ
ｐｉｃ  Ｃｏｎｄｕｃｔｉｖｅ  Ｐａｓｔｅ）などを用いることができる。
【０３４７】
樹脂層５９７は、透光性を有する。例えば、熱硬化性樹脂や紫外線硬化樹脂を用いること
ができ、具体的には、アクリル、ウレタン、エポキシ、またはシロキサン結合を有する樹
脂などの樹脂を用いることができる。
【０３４８】
＜表示部＞
表示部５０１は、マトリクス状に配置された複数の画素を備える。画素は表示素子と表示
素子を駆動する画素回路を備える。
【０３４９】
本実施の形態では、白色の光を射出する有機エレクトロルミネッセンス素子を表示素子に
適用する場合について説明するが、表示素子はこれに限られない。
【０３５０】
例えば、副画素毎に射出する光の色が異なるように、発光色が異なる有機エレクトロルミ
ネッセンス素子を副画素毎に適用してもよい。
【０３５１】
また、有機エレクトロルミネッセンス素子の他、電気泳動方式や電子粉流体（登録商標）
方式やエレクトロウェッティング方式などにより表示を行う表示素子（電子インクともい
う）、シャッター方式のＭＥＭＳ表示素子、光干渉方式のＭＥＭＳ表示素子、液晶素子な
ど、様々な表示素子を表示素子に用いることができる。
【０３５２】
また、透過型液晶ディスプレイ、半透過型液晶ディスプレイ、反射型液晶ディスプレイ、
直視型液晶ディスプレイなどにも適用できる。なお、半透過型液晶ディスプレイや反射型
液晶ディスプレイを実現する場合には、画素電極の一部、または、全部が、反射電極とし
ての機能を有するようにすればよい。例えば、画素電極の一部、または、全部が、アルミ
ニウム、銀、などを有するようにすればよい。さらに、その場合、反射電極の下に、ＳＲ
ＡＭなどの記憶回路を設けることも可能である。これにより、さらに、消費電力を低減す
ることができる。また、適用する表示素子に好適な構成を様々な画素回路から選択して用
いることができる。
【０３５３】
また、表示部において、画素に能動素子を有するアクティブマトリクス方式、または、画
素に能動素子を有しないパッシブマトリクス方式を用いることが出来る。
【０３５４】
アクティブマトリクス方式では、能動素子（アクティブ素子、非線形素子）として、トラ
ンジスタだけでなく、さまざまな能動素子（アクティブ素子、非線形素子）を用いること
が出来る。例えば、ＭＩＭ（Ｍｅｔａｌ  Ｉｎｓｕｌａｔｏｒ  Ｍｅｔａｌ）、又はＴＦ
Ｄ（Ｔｈｉｎ  Ｆｉｌｍ  Ｄｉｏｄｅ）などを用いることも可能である。これらの素子は
、製造工程が少ないため、製造コストの低減、又は歩留まりの向上を図ることができる。
または、これらの素子は、素子のサイズが小さいため、開口率を向上させることができ、
低消費電力化や高輝度化をはかることが出来る。
【０３５５】
アクティブマトリクス方式以外のものとして、能動素子（アクティブ素子、非線形素子）
を用いないパッシブマトリクス型を用いることも可能である。能動素子（アクティブ素子
、非線形素子）を用いないため、製造工程が少ないため、製造コストの低減、又は歩留ま
りの向上を図ることができる。または、能動素子（アクティブ素子、非線形素子）を用い
ないため、開口率を向上させることができ、低消費電力化、又は高輝度化などを図ること
が出来る。
【０３５６】
可撓性を有する材料を基板５１０および基板５７０に好適に用いることができる。
【０３５７】
不純物の透過が抑制された材料を基板５１０および基板５７０に用いることができる。例
えば、水蒸気の透過率が１０−５ｇ／ｍ２・ｄａｙ以下、好ましくは１０−６ｇ／ｍ２・
ｄａｙ以下である材料を好適に用いることができる。
【０３５８】
線膨張率がおよそ等しい材料を基板５１０および基板５７０に好適に用いることができる
。例えば、線膨張率が１×１０−３／Ｋ以下、好ましくは５×１０−５／Ｋ以下、より好
ましくは１×１０−５／Ｋ以下である材料を好適に用いることができる。
【０３５９】
基板５１０は、可撓性を有する基板５１０ｂ、不純物の発光素子への拡散を防ぐバリア膜
５１０ａおよび基板５１０ｂとバリア膜５１０ａを貼り合わせる樹脂層５１０ｃが積層さ
れた積層体である。
【０３６０】
例えば、ポリエステル、ポリオレフィン、ポリアミド（ナイロン、アラミド等）、ポリイ
ミド、ポリカーボネートまたはアクリル、ウレタン、エポキシもしくはシロキサン結合を
有する樹脂含む材料を樹脂層５１０ｃに用いることができる。
【０３６１】
基板５７０は、可撓性を有する基板５７０ｂ、不純物の発光素子への拡散を防ぐバリア膜
５７０ａおよび基板５７０ｂとバリア膜５７０ａを貼り合わせる樹脂層５７０ｃの積層体
である。
【０３６２】
封止材５６０は基板５７０と基板５１０を貼り合わせている。封止材５６０は空気より大
きい屈折率を備える。また、封止材５６０側に光を取り出す場合は、封止材５６０は光学
的に接合する機能を有する層を兼ねる。画素回路および発光素子（例えば第１の発光素子
５５０Ｒ）は基板５１０と基板５７０の間にある。
【０３６３】
《画素の構成》
画素は、副画素５０２Ｒを含み、副画素５０２Ｒは発光モジュール５８０Ｒを備える。
【０３６４】
副画素５０２Ｒは、第１の発光素子５５０Ｒおよび第１の発光素子５５０Ｒに電力を供給
することができるトランジスタ５０２ｔを含む画素回路を備える。また、発光モジュール
５８０Ｒは第１の発光素子５５０Ｒおよび光学素子（例えば着色層５６７Ｒ）を備える。
【０３６５】
発光素子５５０Ｒは、下部電極、上部電極、下部電極と上部電極の間に発光性の有機化合
物を含む層を有する。
【０３６６】
発光モジュール５８０Ｒは、光を取り出す方向に第１の着色層５６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０３６７】
また、封止材５６０が光を取り出す側に設けられている場合、封止材５６０は、第１の発
光素子５５０Ｒと第１の着色層５６７Ｒに接する。
【０３６８】
第１の着色層５６７Ｒは第１の発光素子５５０Ｒと重なる位置にある。これにより、第１
の発光素子５５０Ｒが発する光の一部は第１の着色層５６７Ｒを透過して、図中に示す矢
印の方向の発光モジュール５８０Ｒの外部に射出される。
【０３６９】
《表示部の構成》
表示部５０１は、光を射出する方向に遮光層５６７ＢＭを有する。遮光層５６７ＢＭは、
着色層（例えば第１の着色層５６７Ｒ）を囲むように設けられている。
【０３７０】
表示部５０１は、反射防止層５６７ｐを画素に重なる位置に備える。反射防止層５６７ｐ
として、例えば円偏光板を用いることができる。
【０３７１】
表示部５０１は、絶縁膜５２１を備える。絶縁膜５２１はトランジスタ５０２ｔを覆って
いる。なお、絶縁膜５２１は画素回路に起因する凹凸を平坦化するための層として用いる
ことができる。また、不純物の拡散を抑制できる層を含む積層膜を、絶縁膜５２１に適用
することができる。これにより、不純物の拡散によるトランジスタ５０２ｔ等の信頼性の
低下を抑制できる。
【０３７２】
表示部５０１は、発光素子（例えば第１の発光素子５５０Ｒ）を絶縁膜５２１上に有する
。
【０３７３】
表示部５０１は、第１の下部電極の端部に重なる隔壁５２８を絶縁膜５２１上に有する。
また、基板５１０と基板５７０の間隔を制御するスペーサを、隔壁５２８上に有する。
【０３７４】
《走査線駆動回路の構成》
走査線駆動回路５０３ｇ（１）は、トランジスタ５０３ｔおよび容量５０３ｃを含む。な
お、駆動回路を画素回路と同一の工程で同一基板上に形成することができる。
【０３７５】
《他の構成》
表示部５０１は、信号を供給することができる配線５１１を備え、端子５１９が配線５１
１に設けられている。なお、画像信号および同期信号等の信号を供給することができるＦ
ＰＣ５０９（１）が端子５１９に電気的に接続されている。
【０３７６】
なお、ＦＰＣ５０９（１）にはプリント配線基板（ＰＷＢ）が取り付けられていても良い
。
【０３７７】
表示部５０１は、走査線、信号線および電源線等の配線を有する。様々な導電膜を配線に
用いることができる。
【０３７８】
具体的には、アルミニウム、クロム、銅、タンタル、チタン、モリブデン、タングステン
、ニッケル、イットリウム、ジルコニウム、銀またはマンガンから選ばれた金属元素、上
述した金属元素を成分とする合金または上述した金属元素を組み合わせた合金等を用いる
ことができる。とくに、アルミニウム、クロム、銅、タンタル、チタン、モリブデン、タ
ングステンの中から選択される一以上の元素を含むと好ましい。特に、銅とマンガンの合
金がウエットエッチング法を用いた微細加工に好適である。
【０３７９】
具体的には、アルミニウム膜上にチタン膜を積層する二層構造、窒化チタン膜上にチタン
膜を積層する二層構造、窒化チタン膜上にタングステン膜を積層する二層構造、窒化タン
タル膜または窒化タングステン膜上にタングステン膜を積層する二層構造、チタン膜と、
そのチタン膜上にアルミニウム膜を積層し、さらにその上にチタン膜を形成する三層構造
等を用いることができる。
【０３８０】
具体的には、アルミニウムを含む膜上にチタン、タンタル、タングステン、モリブデン、
クロム、ネオジム、スカンジウムから選ばれた元素を含む膜を積層した積層膜を用いても
よい。また、アルミニウムを含む膜上にチタン、タンタル、タングステン、モリブデン、
クロム、ネオジム、スカンジウムから選ばれた元素を複数組み合わせた合金膜を積層した
積層膜を用いてもよい。また、アルミニウムを含む膜上にチタン、タンタル、タングステ
ン、モリブデン、クロム、ネオジム、スカンジウムから選ばれた元素を含む窒化膜を積層
した積層膜を用いてもよい。
【０３８１】
また、酸化インジウム、酸化錫または酸化亜鉛を含む透光性を有する導電材料を用いても
よい。
【０３８２】
＜表示部の変形例１＞
様々なトランジスタを表示部５０１に適用できる。
【０３８３】
ボトムゲート型のトランジスタを表示部５０１に適用する場合の構成を、図１１（Ａ）お
よび図１１（Ｂ）に図示する。
【０３８４】
例えば、酸化物半導体、アモルファスシリコン等を含む半導体層を、図１１（Ａ）に図示
するトランジスタ５０２ｔおよびトランジスタ５０３ｔに適用することができる。
【０３８５】
例えば、少なくともインジウム（Ｉｎ）、亜鉛（Ｚｎ）及びＭ（Ａｌ、Ｇａ、Ｇｅ、Ｙ、
Ｚｒ、Ｓｎ、Ｌａ、ＣｅまたはＨｆ等の金属）を含むＩｎ−Ｍ−Ｚｎ酸化物で表記される
膜を含むことが好ましい。または、ＩｎとＺｎの双方を含むことが好ましい。
【０３８６】
スタビライザーとしては、ガリウム（Ｇａ）、スズ（Ｓｎ）、ハフニウム（Ｈｆ）、アル
ミニウム（Ａｌ）、またはジルコニウム（Ｚｒ）等がある。また、他のスタビライザーと
しては、ランタノイドである、ランタン（Ｌａ）、セリウム（Ｃｅ）、プラセオジム（Ｐ
ｒ）、ネオジム（Ｎｄ）、サマリウム（Ｓｍ）、ユウロピウム（Ｅｕ）、ガドリニウム（
Ｇｄ）、テルビウム（Ｔｂ）、ジスプロシウム（Ｄｙ）、ホルミウム（Ｈｏ）、エルビウ
ム（Ｅｒ）、ツリウム（Ｔｍ）、イッテルビウム（Ｙｂ）、ルテチウム（Ｌｕ）等がある
。
【０３８７】
酸化物半導体膜を構成する酸化物半導体として、例えば、Ｉｎ−Ｇａ−Ｚｎ系酸化物、Ｉ
ｎ−Ａｌ−Ｚｎ系酸化物、Ｉｎ−Ｓｎ−Ｚｎ系酸化物、Ｉｎ−Ｈｆ−Ｚｎ系酸化物、Ｉｎ
−Ｌａ−Ｚｎ系酸化物、Ｉｎ−Ｃｅ−Ｚｎ系酸化物、Ｉｎ−Ｐｒ−Ｚｎ系酸化物、Ｉｎ−
Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇ
ｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ
−Ｚｎ系酸化物、Ｉｎ−Ｅｒ−Ｚｎ系酸化物、Ｉｎ−Ｔｍ−Ｚｎ系酸化物、Ｉｎ−Ｙｂ−
Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈ
ｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系
酸化物、Ｉｎ−Ｓｎ−Ｈｆ−Ｚｎ系酸化物、Ｉｎ−Ｈｆ−Ａｌ−Ｚｎ系酸化物、Ｉｎ−Ｇ
ａ系酸化物を用いることができる。
【０３８８】
なお、ここで、Ｉｎ−Ｇａ−Ｚｎ系酸化物とは、ＩｎとＧａとＺｎを主成分として有する
酸化物という意味であり、ＩｎとＧａとＺｎの比率は問わない。また、ＩｎとＧａとＺｎ
以外の金属元素が入っていてもよい。
【０３８９】
例えば、レーザーアニールなどの処理により結晶化させた多結晶シリコンを含む半導体層
を、図１１（Ｂ）に図示するトランジスタ５０２ｔおよびトランジスタ５０３ｔに適用す
ることができる。
【０３９０】
トップゲート型のトランジスタを表示部５０１に適用する場合の構成を、図１１（Ｃ）に
図示する。
【０３９１】
例えば、多結晶シリコンまたは単結晶シリコン基板等から転置された単結晶シリコン膜等
を含む半導体層を、図１１（Ｃ）に図示するトランジスタ５０２ｔおよびトランジスタ５
０３ｔに適用することができる。
【０３９２】
なお、本実施の形態は、本明細書で示す他の実施の形態と適宜組み合わせることができる
。
【０３９３】
（実施の形態７）
本実施の形態では、本発明の一態様の情報処理装置に適用することができる折り曲げ可能
なタッチパネルの構成について、図１２を参照しながら説明する。
【０３９４】
図１２は、タッチパネル５００Ｂ断面図である。
【０３９５】
本実施の形態で説明するタッチパネル５００Ｂは、供給された画像情報をトランジスタが
設けられている側に表示する表示部５０１を備える点およびタッチセンサが表示部の基板
５１０側に設けられている点が、実施の形態６で説明するタッチパネル５００とは異なる
。ここでは異なる構成について詳細に説明し、同様の構成を用いることができる部分は、
上記の説明を援用する。
【０３９６】
＜表示部＞
表示部５０１は、マトリクス状に配置された複数の画素を備える。画素は表示素子と表示
素子を駆動する画素回路を備える。
【０３９７】
《画素の構成》
画素は、副画素５０２Ｒを含み、副画素５０２Ｒは発光モジュール５８０Ｒを備える。
【０３９８】
副画素５０２Ｒは、第１の発光素子５５０Ｒおよび第１の発光素子５５０Ｒに電力を供給
することができるトランジスタ５０２ｔを含む画素回路を備える。
【０３９９】
発光モジュール５８０Ｒは第１の発光素子５５０Ｒおよび光学素子（例えば第１の着色層
５６７Ｒ）を備える。
【０４００】
発光素子５５０Ｒは、下部電極、上部電極、下部電極と上部電極の間に発光性の有機化合
物を含む層を有する。
【０４０１】
発光モジュール５８０Ｒは、光を取り出す方向に第１の着色層５６７Ｒを有する。着色層
は特定の波長を有する光を透過するものであればよく、例えば赤色、緑色または青色等を
呈する光を選択的に透過するものを用いることができる。なお、他の副画素において、発
光素子の発する光をそのまま透過する領域を設けてもよい。
【０４０２】
第１の着色層５６７Ｒは第１の発光素子５５０Ｒと重なる位置にある。また、図１２（Ａ
）に示す発光素子５５０Ｒは、トランジスタ５０２ｔが設けられている側に光を射出する
。これにより、発光素子５５０Ｒが発する光の一部は第１の着色層５６７Ｒを透過して、
図中に示す矢印の方向の発光モジュール５８０Ｒの外部に射出される。
【０４０３】
《表示部の構成》
表示部５０１は、光を射出する方向に遮光層５６７ＢＭを有する。遮光層５６７ＢＭは、
着色層（例えば第１の着色層５６７Ｒ）を囲むように設けられている。
【０４０４】
表示部５０１は、絶縁膜５２１を備える。絶縁膜５２１はトランジスタ５０２ｔを覆って
いる。なお、絶縁膜５２１は画素回路に起因する凹凸を平坦化するための層として用いる
ことができる。また、不純物の拡散を抑制できる層を含む積層膜を、絶縁膜５２１に適用
することができる。これにより、例えば第１の着色層５６７Ｒから拡散する不純物による
トランジスタ５０２ｔ等の信頼性の低下を抑制できる。
【０４０５】
＜タッチセンサ＞
タッチセンサ５９５は、表示部５０１の基板５１０側に設けられている（図１２（Ａ）参
照）。
【０４０６】
樹脂層５９７は、基板５１０と基板５９０の間にあり、表示部５０１とタッチセンサ５９
５を貼り合わせる。
【０４０７】
＜表示部の変形例１＞
様々なトランジスタを表示部５０１に適用できる。
【０４０８】
ボトムゲート型のトランジスタを表示部５０１に適用する場合の構成を、図１２（Ａ）お
よび図１２（Ｂ）に図示する。
【０４０９】
例えば、酸化物半導体、アモルファスシリコン等を含む半導体層を、図１２（Ａ）に図示
するトランジスタ５０２ｔおよびトランジスタ５０３ｔに適用することができる。また、
一対のゲート電極をトランジスタのチャネルが形成される領域を上下に挟むように設けて
もよい。これにより、トランジスタの特性の変動を抑制し、信頼性を高めることができる
。
【０４１０】
例えば、多結晶シリコン等を含む半導体層を、図１２（Ｂ）に図示するトランジスタ５０
２ｔおよびトランジスタ５０３ｔに適用することができる。
【０４１１】
トップゲート型のトランジスタを表示部５０１に適用する場合の構成を、図１２（Ｃ）に
図示する。
【０４１２】
例えば、多結晶シリコンまたは転写された単結晶シリコン膜等を含む半導体層を、図１２
（Ｃ）に図示するトランジスタ５０２ｔおよびトランジスタ５０３ｔに適用することがで
きる。
【０４１３】
なお、本実施の形態は、本明細書で示す他の実施の形態と適宜組み合わせることができる
。
【０４１４】
（実施の形態８）
本実施の形態では、本発明の一態様の情報処理装置の構成について、図１３および図１４
を参照しながら説明する。
【０４１５】
図１３は本発明の一態様の情報処理装置の表示部が展開された状態を説明する６面図であ
る。
【０４１６】
図１４は本発明の一態様の情報処理装置の表示部が折り畳まれた状態を説明する図であり
、図１４（Ａ）は６面図、図１４（Ｂ）は切断線Ａ−Ａ’における断面図である。
【０４１７】
＜情報処理装置の構成例＞
本発明の一態様の情報処理装置１００Ｂは、第１の領域１３１（１１）、第１の屈曲でき
る領域１３１（２１）、第２の領域１３１（１２）、第２の屈曲できる領域１３１（２２
）、第３の領域１３１（１３）および第３の屈曲できる領域１３１（２３）がこの順で縞
状に配置され、第１の屈曲できる領域１３１（２１）に形成される第１の畳み目および第
２の屈曲できる領域１３１（２２）に形成される第２の畳み目で折り畳まれた状態および
展開された状態にすることができる表示部１３０を有する（図１３および図１４参照）。
【０４１８】
そして、第１の領域１３１（１１）の短辺の長さの長辺の長さに対する比の値は、表示領
域１３１の短辺の長さの長辺の長さに対する比の値の０．９倍以上１．１倍以下であり、
且つ第１の領域の短辺の長さ：長辺の長さはおよそ９：１６である。
【０４１９】
本実施の形態で説明する情報処理装置１００Ｂは、第１の領域１３１（１１）、第１の屈
曲できる領域１３１（２１）および第２の屈曲できる領域１３１（１２）が縞状に配置さ
れ、第１の屈曲できる領域１３１（２１）で第１の領域１３１（１１）の短辺の長さの長
辺の長さに対する比の値（９／１６）が、表示領域１３１の短辺の長さの長辺の長さに対
する比の値（９／１６）の０．９倍以上１．１倍以下になるように折り畳むことができる
表示部１３０を含んで構成される。
【０４２０】
これにより、折り畳まれた状態の表示領域１３１の第１の領域１３１（１１）に表示する
画像と、縦の長さの横の長さに対する比の値がおよそ同じである画像を、展開された状態
の表示領域１３１に表示することができる。その結果、利便性または信頼性に優れた新規
な表示パネルを提供することができる。
【０４２１】
また、情報処理装置１００Ｂは、電源電位を供給され画像情報を供給する演算装置１１０
、電源電位を供給するバッテリー１１０Ｂ並びに演算装置１１０およびバッテリー１１０
Ｂを収納する筐体１０１を有する（図１４（Ｂ）参照）。
【０４２２】
表示部１３０は画像情報および電源電位を供給され、画像情報を表示する。
【０４２３】
第３の屈曲できる領域１３１（２３）は、筐体１０１の側面に沿って屈曲するように設け
られ、情報処理装置１００Ｂの側面および背面に画像情報を表示することができる（図１
４（Ａ）参照）。
【０４２４】
表示部１３０は、表示領域１３１の外側に額縁１３０Ｆを有していてもよい。額縁１３０
Ｆは表示素子が配置されていなくてもよいし、ブランクの画像信号が供給されてもよい。
【０４２５】
また、表示部１３０にタッチセンサを重ねて設けることができる。タッチセンサが重ねて
設けられた表示部はタッチパネルということができる。
【０４２６】
タッチパネルは位置情報を供給することができ、演算装置は位置情報を供給される。
【０４２７】
なお、本実施の形態は、本明細書で示す他の実施の形態と適宜組み合わせることができる
。
【０４２８】
なお、ある一つの実施の形態の中で述べる内容（一部の内容でもよい）は、その実施の形
態で述べる別の内容（一部の内容でもよい）、及び／又は、一つ若しくは複数の別の実施
の形態で述べる内容（一部の内容でもよい）に対して、適用、組み合わせ、又は置き換え
などを行うことが出来る。
【０４２９】
なお、実施の形態の中で述べる内容とは、各々の実施の形態において、様々な図を用いて
述べる内容、又は明細書に記載される文章を用いて述べる内容のことである。
【０４３０】
なお、ある一つの実施の形態において述べる図（一部でもよい）は、その図の別の部分、
その実施の形態において述べる別の図（一部でもよい）、及び／又は、一つ若しくは複数
の別の実施の形態において述べる図（一部でもよい）に対して、組み合わせることにより
、さらに多くの図を構成させることが出来る。
【０４３１】
なお、明細書の中の図面や文章において規定されていない内容について、その内容を除く
ことを規定した発明の一態様を構成することが出来る。または、ある値について、上限値
と下限値などで示される数値範囲が記載されている場合、その範囲を任意に狭めることで
、または、その範囲の中の一点を除くことで、その範囲を一部除いた発明の一態様を規定
することができる。これらにより、例えば、従来技術が本発明の一態様の技術的範囲内に
入らないことを規定することができる。
【０４３２】
具体例としては、ある回路において、第１乃至第５のトランジスタを用いている回路図が
記載されているとする。その場合、その回路が、第６のトランジスタを有していないこと
を発明として規定することが可能である。または、その回路が、容量素子を有していない
ことを規定することが可能である。さらに、その回路が、ある特定の接続構造をとってい
るような第６のトランジスタを有していない、と規定して発明を構成することができる。
または、その回路が、ある特定の接続構造をとっている容量素子を有していない、と規定
して発明を構成することができる。例えば、ゲートが第３のトランジスタのゲートと接続
されている第６のトランジスタを有していない、と発明を規定することが可能である。ま
たは、例えば、第１の電極が第３のトランジスタのゲートと接続されている容量素子を有
していない、と発明を規定することが可能である。
【０４３３】
別の具体例としては、ある値について、例えば、「ある電圧が、３Ｖ以上１０Ｖ以下であ
ることが好適である」と記載されているとする。その場合、例えば、ある電圧が、−２Ｖ
以上１Ｖ以下である場合を除く、と発明の一態様を規定することが可能である。または、
例えば、ある電圧が、１３Ｖ以上である場合を除く、と発明の一態様を規定することが可
能である。なお、例えば、その電圧が、５Ｖ以上８Ｖ以下であると発明を規定することも
可能である。なお、例えば、その電圧が、概略９Ｖであると発明を規定することも可能で
ある。なお、例えば、その電圧が、３Ｖ以上１０Ｖ以下であるが、９Ｖである場合を除く
と発明を規定することも可能である。なお、ある値について、「このような範囲であるこ
とが好ましい」、「これらを満たすことが好適である」となどと記載されていたとしても
、ある値は、それらの記載に限定されない。つまり、「好ましい」、「好適である」など
と記載されていたとしても、必ずしも、それらの記載には、限定されない。
【０４３４】
別の具体例としては、ある値について、例えば、「ある電圧が、１０Ｖであることが好適
である」と記載されているとする。その場合、例えば、ある電圧が、−２Ｖ以上１Ｖ以下
である場合を除く、と発明の一態様を規定することが可能である。または、例えば、ある
電圧が、１３Ｖ以上である場合を除く、と発明の一態様を規定することが可能である。
【０４３５】
別の具体例としては、ある物質の性質について、例えば、「ある膜は、絶縁膜である」と
記載されているとする。その場合、例えば、その絶縁膜が、有機絶縁膜である場合を除く
、と発明の一態様を規定することが可能である。または、例えば、その絶縁膜が、無機絶
縁膜である場合を除く、と発明の一態様を規定することが可能である。または、例えば、
その膜が、導電膜である場合を除く、と発明の一態様を規定することが可能である。また
は、例えば、その膜が、半導体膜である場合を除く、と発明の一態様を規定することが可
能である。
【０４３６】
別の具体例としては、ある積層構造について、例えば、「Ａ膜とＢ膜との間に、ある膜が
設けられている」と記載されているとする。その場合、例えば、その膜が、４層以上の積
層膜である場合を除く、と発明を規定することが可能である。または、例えば、Ａ膜とそ
の膜との間に、導電膜が設けられている場合を除く、と発明を規定することが可能である
。
【０４３７】
なお、本明細書等において記載されている発明の一態様は、さまざまな人が実施すること
が出来る。しかしながら、その実施は、複数の人にまたがって実施される場合がある。例
えば、送受信システムの場合において、Ａ社が送信機を製造および販売し、Ｂ社が受信機
を製造および販売する場合がある。別の例としては、トランジスタおよび発光素子を有す
る発光装置の場合において、トランジスタが形成された半導体装置は、Ａ社が製造および
販売する。そして、Ｂ社がその半導体装置を購入して、その半導体装置に発光素子を成膜
して、発光装置として完成させる、という場合がある。
【０４３８】
このような場合、Ａ社またはＢ社のいずれに対しても、特許侵害を主張できるような発明
の一態様を、構成することが出来る。つまり、Ａ社のみが実施するような発明の一態様を
構成することが可能であり、別の発明の一態様として、Ｂ社のみが実施するような発明の
一態様を構成することが可能である。また、Ａ社またはＢ社に対して、特許侵害を主張で
きるような発明の一態様は、明確であり、本明細書等に記載されていると判断する事が出
来る。例えば、送受信システムの場合において、送信機のみの場合の記載や、受信機のみ
の場合の記載が本明細書等になかったとしても、送信機のみで発明の一態様を構成するこ
とができ、受信機のみで別の発明の一態様を構成することができ、それらの発明の一態様
は、明確であり、本明細書等に記載されていると判断することが出来る。別の例としては
、トランジスタおよび発光素子を有する発光装置の場合において、トランジスタが形成さ
れた半導体装置のみの場合の記載や、発光素子を有する発光装置のみの場合の記載が本明
細書等になかったとしても、トランジスタが形成された半導体装置のみで発明の一態様を
構成することができ、発光素子を有する発光装置のみで発明の一態様を構成することがで
き、それらの発明の一態様は、明確であり、本明細書等に記載されていると判断すること
が出来る。
【０４３９】
なお、本明細書等においては、能動素子（トランジスタ、ダイオードなど）、受動素子（
容量素子、抵抗素子など）などが有するすべての端子について、その接続先を特定しなく
ても、当業者であれば、発明の一態様を構成することは可能な場合がある。つまり、接続
先を特定しなくても、発明の一態様が明確であると言える。そして、接続先が特定された
内容が、本明細書等に記載されている場合、接続先を特定しない発明の一態様が、本明細
書等に記載されていると判断することが可能な場合がある。特に、端子の接続先が複数の
ケース考えられる場合には、その端子の接続先を特定の箇所に限定する必要はない。した
がって、能動素子（トランジスタ、ダイオードなど）、受動素子（容量素子、抵抗素子な
ど）などが有する一部の端子についてのみ、その接続先を特定することによって、発明の
一態様を構成することが可能な場合がある。
【０４４０】
なお、本明細書等においては、ある回路について、少なくとも接続先を特定すれば、当業
者であれば、発明を特定することが可能な場合がある。または、ある回路について、少な
くとも機能を特定すれば、当業者であれば、発明を特定することが可能な場合がある。つ
まり、機能を特定すれば、発明の一態様が明確であると言える。そして、機能が特定され
た発明の一態様が、本明細書等に記載されていると判断することが可能な場合がある。し
たがって、ある回路について、機能を特定しなくても、接続先を特定すれば、発明の一態
様として開示されているものであり、発明の一態様を構成することが可能である。または
、ある回路について、接続先を特定しなくても、機能を特定すれば、発明の一態様として
開示されているものであり、発明の一態様を構成することが可能である。
【０４４１】
なお、本明細書等においては、ある一つの実施の形態において述べる図または文章におい
て、その一部分を取り出して、発明の一態様を構成することは可能である。したがって、
ある部分を述べる図または文章が記載されている場合、その一部分の図または文章を取り
出した内容も、発明の一態様として開示されているものであり、発明の一態様を構成する
ことが可能であるものとする。そして、その発明の一態様は明確であると言える。そのた
め、例えば、能動素子（トランジスタ、ダイオードなど）、配線、受動素子（容量素子、
抵抗素子など）、導電層、絶縁層、半導体層、有機材料、無機材料、部品、装置、動作方
法、製造方法などが単数もしくは複数記載された図面または文章において、その一部分を
取り出して、発明の一態様を構成することが可能であるものとする。例えば、Ｎ個（Ｎは
整数）の回路素子（トランジスタ、容量素子等）を有して構成される回路図から、Ｍ個（
Ｍは整数で、Ｍ＜Ｎ）の回路素子（トランジスタ、容量素子等）を抜き出して、発明の一
態様を構成することは可能である。別の例としては、Ｎ個（Ｎは整数）の層を有して構成
される断面図から、Ｍ個（Ｍは整数で、Ｍ＜Ｎ）の層を抜き出して、発明の一態様を構成
することは可能である。さらに別の例としては、Ｎ個（Ｎは整数）の要素を有して構成さ
れるフローチャートから、Ｍ個（Ｍは整数で、Ｍ＜Ｎ）の要素を抜き出して、発明の一態
様を構成することは可能である。さらに別の例としては、「Ａは、Ｂ、Ｃ、Ｄ、Ｅ、また
は、Ｆを有する」と記載されている文章から、一部の要素を任意に抜き出して、「Ａは、
ＢとＥとを有する」、「Ａは、ＥとＦとを有する」、「Ａは、ＣとＥとＦとを有する」、
または、「Ａは、ＢとＣとＤとＥとを有する」などの発明の一態様を構成することは可能
である。
【０４４２】
なお、本明細書等においては、ある一つの実施の形態において述べる図または文章におい
て、少なくとも一つの具体例が記載される場合、その具体例の上位概念を導き出すことは
、当業者であれば容易に理解される。したがって、ある一つの実施の形態において述べる
図または文章において、少なくとも一つの具体例が記載される場合、その具体例の上位概
念も、発明の一態様として開示されているものであり、発明の一態様を構成することが可
能である。そして、その発明の一態様は、明確であると言える。
【０４４３】
なお、本明細書等においては、少なくとも図に記載した内容（図の中の一部でもよい）は
、発明の一態様として開示されているものであり、発明の一態様を構成することが可能で
ある。したがって、ある内容について、図に記載されていれば、文章を用いて述べていな
くても、その内容は、発明の一態様として開示されているものであり、発明の一態様を構
成することが可能である。同様に、図の一部を取り出した図についても、発明の一態様と
して開示されているものであり、発明の一態様を構成することが可能である。そして、そ
の発明の一態様は明確であると言える。
【符号の説明】
【０４４４】
１００    情報処理装置
１００Ｂ    情報処理装置
１０１    筐体
１０２    ヒンジ
１１０    演算装置
１１０Ａ    アンテナ
１１０Ｂ    バッテリー
１１１    演算部
１１２    記憶部
１１４    伝送路
１１５    入出力インターフェース
１２０    入出力装置
１３０    表示部
１３０Ｆ    額縁
１３０Ｐ    表示パネル
１３０ＰＢ    表示パネル
１３１    表示領域
１３１（１１）    第１の領域
１３１（１２）    第２の領域
１３１（１３）    第３の領域
１３１（２１）    第１の屈曲できる領域
１３１（２２）    第２の屈曲できる領域
１３１（２３）    第３の屈曲できる領域
１３３Ｇ（Ｌ）    第１の走査線駆動回路
１３３Ｇ（Ｒ）    第２の走査線駆動回路
１３３Ｓ（Ｌ）    第１の信号線駆動回路
１３３Ｓ（Ｒ）    第２の信号線駆動回路
１３９    フレキシブルプリント基板ＦＰＣ
１４０    位置情報入力部
１４５    入出力部
１４５（１）    釦
１５０（１）    検知回路
１５０（２）    検知回路
１５０（３）    検知回路
１５０    検知部
１６０    通信部
３００    タッチパネル
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    樹脂層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基材
３７０ｃ    樹脂層
３８０Ｂ    発光モジュール
３８０Ｇ    発光モジュール
３８０Ｒ    発光モジュール
５００    タッチパネル
５００Ｂ    タッチパネル
５０１    表示部
５０２Ｒ    副画素
５０２ｔ    トランジスタ
５０３ｃ    容量
５０３ｇ    走査線駆動回路
５０３ｔ    トランジスタ
５０９    ＦＰＣ
５１０    基板
５１０ａ    バリア膜
５１０ｂ    基板
５１０ｃ    樹脂層
５１１    配線
５１９    端子
５２１    絶縁膜
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    樹脂層
５８０Ｒ    発光モジュール
５９０    基板
５９１    電極
５９２    電極
５９３    絶縁層
５９４    配線
５９５    タッチセンサ
５９７    樹脂層
５９８    配線
５９９    接続層
【図１】
2020076966.tif 000003
【図２】
2020076966.tif 000004
【図３】
2020076966.tif 000005
【図４】
2020076966.tif 000006
【図５】
2020076966.tif 000007
【図６】
2020076966.tif 000008
【図７】
2020076966.tif 000009
【図８】
2020076966.tif 000010
【図９】
2020076966.tif 000011
【図１０】
2020076966.tif 000012
【図１１】
2020076966.tif 000013
【図１２】
2020076966.tif 000014
【図１３】
2020076966.tif 000015
【図１４】
2020076966.tif 000016